(57)【要約】      （修正有）【課題】自己配向シリンジ及びシリンジインターフェースを提供する。【解決手段】シリンジ１２は、基端部２０と、先端部２４と、基端部と先端部との間で長手方向軸線１５に沿って延在する側壁１９とを有するシリンジバレル１８を含み、少なくとも１つのシリンジ保持部材３２は、側壁の外面に対して半径方向外側に突出する。少なくとも１つのシリンジ保持部材は、先端部から基端部に向かう方向に軸方向にテーパが付けられている。少なくとも１つのシリンジ保持部材は、流体インジェクタ上のロック機構と選択的に係合して、シリンジを流体インジェクタに解除可能にロックするように構成されている。少なくとも１つのシリンジ保持部材のテーパ構造は、シリンジがロック機構と整列するように回転案内するように構成されている。【選択図】図１Ｂ
2019080947.tif 000002
【特許請求の範囲】
【請求項１】
シリンジと係合するための少なくとも１つのシリンジポートを備える医療用インジェクタであって、前記少なくとも１つのシリンジポートがロック機構を備え、前記ロック機構が、
ハウジングと、
前記ハウジングの先端部における第１の保持リングであって、前記保持リングは、中心開口部および側壁を有し、前記側壁は、前記側壁内へ半径方向外側に延在する１または複数の第１の凹部を有し、各前記第１の凹部の側面は、前記シリンジの１または複数の保持突起の動きを案内するための移動経路を画定する、第１の保持リングと、
を備え、
各前記第１の凹部は、少なくとも１つの第１の案内面および第２の案内面を備え、自己配向して前記第１の凹部と整列されるように前記保持突起を案内する、医療用インジェクタ。
【請求項２】
前記少なくとも１つの第１の案内面および前記第２の案内面は、前記第１の保持リングの前記中心開口部に向かって半径方向かつ軸方向に傾斜している、請求項１に記載の医療用インジェクタ。
【請求項３】
前記少なくとも１つの第１の案内面は、前記第１の案内面の第１部分および前記第１の案内面の第２部分を分離する軸点を備え、前記第１の案内面の前記第１部分は、前記第１の凹部の１つに向かって傾斜し、かつ前記第１の案内面の前記第２部分は、前記第１の凹部に隣接する第２の第１の凹部に向かって傾斜している、請求項１に記載の医療用インジェクタ。
【請求項４】
前記第２の案内面は、前記第２の案内面の先端部から前記第２の案内面の基端部へ前記中心開口部に向かって半径方向に傾斜している、請求項１に記載の医療用インジェクタ。
【請求項５】
前記少なくとも１つの第１の案内面および前記第２の案内面は、前記１または複数の凹部と回転方向に整列されるように、および前記少なくとも１つのシリンジポートと軸方向に整列されるように前記シリンジを案内する、請求項１に記載の医療用インジェクタ。
【請求項６】
前記１または複数の第１の凹部は、前記側壁の内周まわりに均等に離間している、請求項１に記載の医療用インジェクタ。
【請求項７】
各前記１または複数の第１の凹部および前記第１の凹部の半径方向に隣接する一側の前記第１の保持リングの前記側壁は、前記シリンジのシリンジ保持部材を受容するための間隔空間を画定し、前記シリンジ保持部材は、突起および前記突起の半径方向に隣接する一側の前記シリンジのバレルの外面を備える、請求項１に記載の医療用インジェクタ。
【請求項８】
シリンジと係合するための少なくとも１つのシリンジポートを備える医療用インジェクタであって、前記シリンジポートがロック機構を備え、前記ロック機構が、
ハウジングと、
前記ハウジングの先端部における第１の保持リングであって、前記第１の保持リングが中心開口部および側壁を有し、前記側壁は、前記側壁内へ半径方向外側に延在する１または複数の第１の凹部を有し、各第１の凹部の側面は、前記シリンジの１または複数の保持突起の動きを案内するための移動経路を画定する、第１の保持リングと、
前記第１の保持リングおよび前記ハウジングに対して回転可能な第２の保持リングと、
を備え、
前記第２の保持リングが前記第２の保持リングの内側側壁から半径方向内側に延在する１または複数のロック要素を備え、前記１または複数のロック要素は、１または複数の第２凹部によって分離されて、前記シリンジの挿入部分が前記第１の保持リングの前記中心開口部を通り挿入される場合に前記１または複数の保持突起を受容し、前記１または複数のロック要素は、前記１または複数の保持突起の対応する傾斜面と係合するための第１傾斜面を備え、前記シリンジポートから前記シリンジが外れる際に前記シリンジを軸方向に排出する、医療用インジェクタ。
【請求項９】
前記１または複数のロック要素が第２傾斜面をさらに備える、請求項８に記載の医療用インジェクタ。
【請求項１０】
前記第２の保持リングは、前記第２の保持リングを第１ロック位置に付勢する少なくとも１つの弾性部材をさらに備える、請求項８に記載の医療用インジェクタ。
【請求項１１】
前記シリンジが前記少なくとも１つのシリンジポートに挿入される場合に、前記１または複数の保持突起の前記傾斜面が前記１または複数のロック要素の前記第１傾斜面に係合して、前記第１ロック位置から第２挿入または解放位置へ前記第２の保持リングを回転して、前記１または複数の第２凹部が前記１または複数の保持突起を受け入れることができ、前記１または複数の保持突起が前記１または複数の第２凹部によって収容された後で、前記少なくとも１つの弾性部材が前記第２の保持リングを前記第１ロック位置に戻す、請求項１０に記載の医療用インジェクタ。
【請求項１２】
前記少なくとも１つの弾性部材の付勢力に抗する、前記少なくとも１つのシリンジポートに挿入された前記シリンジの回転が前記第２の保持リングを前記第１ロック位置から第２挿入または解放位置に回転し、前記１または複数の突起を前記１または複数のロック要素から解放する、請求項１０に記載の医療用インジェクタ。
【請求項１３】
前記シリンジの回転により、前記１または複数の保持突起の前記傾斜面が前記１または複数のロック要素の前記第１傾斜面を乗り越えて、前記少なくとも１つのシリンジポートから前記シリンジを軸方向に排出する、請求項１２に記載の医療用インジェクタ。
【請求項１４】
シリンジと係合するための少なくとも１つのシリンジポートを備える医療用インジェクタであって、前記少なくとも１つのシリンジポートがロック機構を備え、前記ロック機構が、
ハウジングと、
前記ハウジングの先端部における第１の保持リングであって、前記第１の保持リングが中心開口部および側壁を有し、前記側壁は、前記側壁内へ半径方向外側に延在する１または複数の第１の凹部を有し、各第１の凹部の側面は、前記シリンジの１または複数の保持突起の動きを案内するための移動経路を画定する、第１の保持リングと、
前記第１の保持リングおよび前記ハウジングに対して回転可能な第２の保持リングと、
を備え、
各前記第１の凹部は、少なくとも１つの第１の案内面および第２の案内面を備え、自己配向して前記第１の凹部と整列されるように前記保持突起を案内し、
前記第２の保持リングが前記第２の保持リングの内側側壁から半径方向内側に延在する１または複数のロック要素を備え、前記１または複数のロック要素は、１または複数の第２凹部によって分離されて、前記シリンジの挿入部分が前記第１の保持リングの前記中心開口部を通り挿入される場合に前記１または複数の保持突起を受容し、前記１または複数のロック要素は、前記１または複数の保持突起の対応する傾斜面と係合するための第１傾斜面を備え、前記少なくとも１つのシリンジポートから前記シリンジが外れる際に前記シリンジを軸方向に排出する、医療用インジェクタ。
【請求項１５】
前記少なくとも１つの第１の案内面は、前記第１の案内面の第１部分および前記第１の案内面の第２部分を分離する軸点を備え、前記第１の案内面の前記第１部分は、前記第１の凹部の１つに向かって傾斜し、かつ前記第１の案内面の前記第２部分は、前記第１の凹部に隣接する第２の第１の凹部に向かって傾斜している、請求項１４に記載の医療用インジェクタ。
【請求項１６】
前記第２の案内面は、前記第２の案内面の先端部から前記第２の案内面の基端部へ前記中心開口部に向かって半径方向に傾斜している、請求項１５に記載の医療用インジェクタ。
【請求項１７】
前記少なくとも１つの第１の案内面および前記第２の案内面は、前記１または複数の凹部と回転方向に整列されるように、および前記少なくとも１つのシリンジポートと軸方向に整列されるように前記シリンジを案内する、請求項１６に記載の医療用インジェクタ。
【請求項１８】
前記第２の保持リングは、前記第２の保持リングを第１ロック位置に付勢する少なくとも１つの弾性部材をさらに備える、請求項１４に記載の医療用インジェクタ。
【請求項１９】
前記シリンジが前記少なくとも１つのシリンジポートに挿入される場合に、前記１または複数の保持突起の前記傾斜面が前記１または複数のロック要素の前記第１傾斜面に係合して、前記第１ロック位置から第２挿入または解放位置へ前記第２の保持リングを回転して、前記１または複数の第２凹部が前記１または複数の保持突起を受け入れることができ、前記１または複数の保持突起が前記１または複数の第２凹部によって収容された後で、前記少なくとも１つの弾性部材が前記第２の保持リングを前記第１ロック位置に戻す、請求項１８に記載の医療用インジェクタ。
【請求項２０】
前記少なくとも１つの弾性部材の付勢力に抗する前記シリンジの回転が前記第２の保持リングを前記第１ロック位置から第２挿入または解放位置に回転し、前記１または複数の突起を前記１または複数のロック要素から解放し、
前記１または複数の保持突起の前記傾斜面が前記１または複数のロック要素の前記第１傾斜面を乗り越えて、前記少なくとも１つのシリンジポートから前記シリンジを軸方向に排出する、請求項１９に記載の医療用インジェクタ。
【発明の詳細な説明】
【技術分野】
【０００１】
本発明は、概して、流体インジェクタと共に使用される自己配向および前方取付け式シリンジを含むシステム、更に、流体インジェクタにシリンジを固定するための連結インターフェース、及び流体インジェクタに対するシリンジの着脱方法に関する。
【背景技術】
【０００２】
多くの医療診断や治療処置において、医師などの医療従事者は患者に１種又は複種の医療用流体を注射する。近年、血管造影法、コンピュータ断層撮影法（ＣＴ）、超音波、磁気共鳴映像法（ＭＲＩ）、ポジトロン放射断層撮影法（ＰＥＴ）、及び他の分子イメージング方法などに使用するために、造影剤溶液（多くの場合、単に「造影剤」と呼ばれる）、生理食塩水のようなフラッシュ剤、及びその他の医療用流体などの医療用流体を加圧注入する多くのインジェクタ駆動式シリンジ及び流体インジェクタが開発されている。一般に、これら流体インジェクタは、予め設定された量の流体を予め設定された圧力及び／又は流量で送達するように設計されている。
【０００３】
注射中において、医師がカテーテル、チューブに連結された針、又は他の流体送達連結部を患者の静脈又は動脈内に配置する場合がある。前記カテーテル又はチューブは、手動流体注入機構又は自動流体注入機構のいずれかに連結される。一般に、自動流体注入機構は、例えば、少なくとも１つの動力駆動式リニアピストンを有する少なくとも１つの流体インジェクタに連結された少なくとも１つのシリンジを含む。前記少なくとも１つのシリンジは、例えば、造影剤の供給源及び／又はフラッシュ用流体の供給源を含む。医師は、流体インジェクタの電子制御システムに造影剤及び／又は生理食塩水の一定した量と、造影剤や生理食塩水それぞれの一定した注入速度に関する設定を入力する。
【０００４】
注入された造影剤及び／又は生理食塩水は、患者の腕又は鼠径部などの患者の体内に挿入されたカテーテル又は針を通じて患者の血管系に送達される。造影剤の投与をボーラスと呼ぶ。造影剤のボーラスが所望の部位に送達されると、その領域が血管造影法又は走査法、コンピュータ断層撮影法（ＣＴ）、超音波、磁気共鳴映像法（ＭＲＩ）、ポジトロン放射形断層撮影法（ＰＥＴ）などの従来の映像化技術及び他の分子イメージング方法を使用し画像化される。造影剤の存在は、背景としての周囲組織に対してはっきりと可視化される。
【０００５】
流体インジェクタに対するシリンジの着脱を容易にするために、種々の前方取付け式連結インターフェースが開発されている。いくつかの実施形態では、シリンジと流体インジェクタに設けられた対応するロック機構とを整列させることにより、保持機構を有するシリンジが流体インジェクタのシリンジポートに挿入される。シリンジをインジェクタに装着する前に、医師がシリンジの保持機構と流体インジェクタの対応するロック機構とを手動で整列させる必要がある場合が多い。場合によって、例えば特許文献１よると、装着に利用可能なアライメント機構が１つ又は２つしかない。このようなシリンジにおいて、オペレータは、シリンジを流体インジェクタに係合させるアライメント機構を見つけるために、シリンジを回転させなければならない。そして、オペレータがシリンジをロック機構に対して手動で回転させ、インジェクタの操作に十分に強力な係合を生じさせる必要がある。特許文献２に記載されている別の実施形態では、シリンジを回転しながら整列させたり、或は、シリンジを回転しながら取り付ける又は係合させる必要がない。たが、シリンジを取り外すために、オペレータがシリンジをその長手方向軸を中心に少なくとも４５度、より一般的には９０度回転させなければならない。回転させた後、オペレータはインジェクタからシリンジを完全に抜き出す必要がある。いくつかの実施形態では、オペレータがシリンジを回転させながらシリンジを抜き出さなければならない。このようなシリンジインジェクタの構造によると、インジェクタに対するシリンジの着脱のために余分な時間と労力が必要となり、医療注射処置に要する時間が増加してしまう。
【０００６】
したがって、当技術分野において、オペレータがシリンジを流体インジェクタからより容易に脱離又は解除できる、例えばシリンジを引きながら回転させるオペレータの動作を要しないように改善されたシリンジ及びインジェクタ部品、インターフェース、及び／又はロック機構が要求される。更に、当技術分野において、シリンジを流体インジェクタに係合させる際、オペレータがシリンジを回転させながら流体インジェクタと整列させる必要を低減又は除去する需要がある。医療分野において様々なシリンジの連結インターフェース及び方法が公知であるが、シリンジ設計、シリンジ保持機構、シリンジと流体インジェクタとの連結インターフェース、および流体インジェクタに対するシリンジの着脱方法に対する改善が引き続き求められている。
【先行技術文献】
【特許文献】
【０００７】
【特許文献１】米国特許第６，３３６，９１３号明細書
【特許文献２】米国特許第６，６５２，４８９号明細書
【特許文献３】米国特許第５，３８３，８５８号明細書
【特許文献４】米国特許第７，５５３，２９４号明細書
【特許文献５】米国特許第７，６６６，１６９号明細書
【特許文献６】国際特許出願ＰＣＴ／米国特許出願公開第２０１２／０３７４９１号明細書
【特許文献７】国際公開第２０１２／１５５０３５号パンフレット
【特許文献８】米国特許出願公開第２０１４／００２７００９号明細書
【発明の概要】
【発明が解決しようとする課題】
【０００８】
従来におけるシリンジと流体インジェクタとの連結インターフェースの欠点に鑑み、本分野において、従来技術の欠点を克服できるシリンジと流体インジェクタとの改善された連結インターフェースが求められる。さらに、シリンジをその長手方向軸を中心に流体インジェクタに対し手動で回転させながら整列させる必要がないように、流体インジェクタに対するシリンジの簡単な着脱を可能にする改善された、シリンジ、シリンジ保持機構、及び流体インジェクタに対するシリンジの装着又は取り外し/排出方法が求められる。
【課題を解決するための手段】
【０００９】
一実施形態において、シリンジは、基端部と、先端部と、基端部と先端部との間で長手方向軸に沿って延在する実質的に周方向の側壁と、を有するバレルを含んでもよい。少なくとも１つのシリンジ保持部材が側壁の外面に対して半径方向外側に突出してもよい。少なくとも１つのシリンジ保持部材は、側壁の外面に沿って先端部から基端部に向かう方向に軸方向にテーパが付けられてもよい。少なくとも１つのシリンジ保持部材は、流体インジェクタ上のロック機構に係合して、シリンジを流体インジェクタに解除可能にロックするように構成される。少なくとも１つのシリンジ保持部材のテーパ構造は、シリンジが自己配向してロック機構と整列するようにシリンジを回転的に案内し、且つシリンジの回転時にシリンジを軸方向に排出させるように構成してもよい。
【００１０】
また、少なくとも１つのシリンジ保持部材は、先端部から基端部に向かう方向に軸方向にテーパが付けられた少なくとも１つの第１の表面を有してもよい。少なくとも１つのシリンジ保持部材は、更に、シリンジが自己配向してロック機構と整列するようにシリンジを案内する第２の表面を有してもよい。シリンジ保持部材の第１の表面及び第２の表面は、直線状、セグメント状、曲面状、連続状、不連続状、或は平面状であってもよい。第２の表面は、第１の表面とは逆の方向に軸方向にテーパが付けられてもよい。少なくとも１つのシリンジ保持部材は、シリンジの外面上に一体的に形成してもよい。また、少なくとも１つのシリンジ保持部材は、シリンジの外面から分離してもよい。少なくとも１つのシリンジ保持部材は、長手方向軸に対してほぼ垂直に配置された基部表面を有してもよい。少なくとも１つのシリンジ保持部材の少なくとも一部は、シリンジの外面に対してほぼ垂直に突出してもよい。複数のシリンジ保持部材における各シリンジ保持部材は、実質的に同じ形状であってもよく、２つ以上の異なる形状を有してもよい。
【００１１】
いくつかの実施形態では、複数のシリンジ保持部材は、シリンジの外面の少なくとも一部の周りに間隔をあけて配置されてもよい。複数のシリンジ保持部材は、シリンジの周りにほぼ均等な角度間隔で分離されてもよい。また、複数のシリンジ保持部材は、外面の周りに不均等な角度間隔で分離されてもよい。複数のシリンジ保持部材は、長手方向軸に対して基端部に又は基端部近傍において、長手方向に整列させてもよい。また、複数のシリンジ保持部材の少なくとも１つは、バレルの基端部に向かってオフセットされていてもよい。また、複数のシリンジ保持部材の少なくとも１つはバレルの先端部に向かってオフセットされていてもよい。
【００１２】
いくつかの実施形態では、前記少なくとも１つのシリンジ保持部材は、ロック機構内におけるシリンジの回転を防止する少なくとも１つの停止面を有する１つ又は複数のロックタブを有してもよい。前記少なくとも１つのシリンジ保持部材は、少なくとも１つの第１の突起と、少なくとも１つの第２の突起とを有してもよい。前記少なくとも１つの第１の突起は、前記少なくとも１つの第２の突起と同じであってもよく、異なってもよい。また、前記少なくとも１つの第１の突起は、前記少なくとも１つの第２の突起に対して、長手方向軸に沿って長手方向にオフセットされていてもよい。前記第１の突起及び第２の突起の少なくとも１つは、前記バレルの外面から前記少なくとも１つの第１の突起及び第２の突起の頂面までの角度で突出する傾斜した解除部材を有してもよい。少なくとも１つのシリンジ保持部材は、少なくとも１つの中空部を有してもよく、特定の実施形態においては、少なくとも１つの中空部に少なくとも１つの補強部材が設けられてもよい。フランジは、側壁の外面から長手方向軸に対して半径方向外側に、且つ、前記少なくとも１つのシリンジ保持部材よりも先端側で突出してもよい。前記フランジは、側壁の外面の少なくとも一部に延在してもよい。フランジは、シリンジのロック機構への長手方向の挿入の長さを制限するための長手方向の停止面を有してもよい。前記少なくとも１つのシリンジ保持部材は、三角形、矢尻形、矩形、又は丸形の輪郭を有する形状を有してもよい。前記少なくとも１つのシリンジ保持部材は、シリンジの外面に対応する形状の頂面を有してもよい。前記少なくとも１つのシリンジ保持部材は、ロック機構の間隙空間内に収納されるように構成してもよい。
【００１３】
いくつかの実施形態では、シリンジは、基端部と、先端部と、基端部と先端部との間に、長手方向軸に沿って実質的に周方向に延在する側壁と、を備えたバレルを有してもよい。シリンジは、側壁の外面に対して半径方向外側に突出した少なくとも１つのシリンジ保持部材を有してもよい。少なくとも１つのシリンジ保持部材は、側壁の外面に沿って先端部から基端部に向かう方向に軸方向にテーパが付けられている少なくとも１つの表面を有してもよい。少なくとも１つのシリンジ保持部材は、流体インジェクタのロック機構と係合してシリンジを流体インジェクタに脱離可能にロックするように構成してもよい。少なくとも１つの表面は、シリンジが自己配向してロック機構と整列するようにシリンジを回転案内し、さらに、シリンジの回転時にシリンジを軸方向に排出するように構成してもよい。
【００１４】
他の実施形態においては、シリンジは、基端部と、先端部と、基端部と先端部との間に、長手方向軸に沿って実質的に周方向に延在する側壁と、を有するバレルを有してもよい。シリンジは、側壁の外面に対して半径方向外側に突出する少なくとも１つのシリンジ保持部材を有してもよい。少なくとも１つのシリンジ保持部材は、第１の表面及び第２の表面を有し、前記第１の表面が前記第２の表面に対して軸方向及び半径方向にオフセットされている。少なくとも１つのシリンジ保持部材は、流体インジェクタのロック機構と係合して、シリンジを流体インジェクタに脱離可能にロックするように構成してもよい。第１の表面及び第２の表面の少なくとも１つは、シリンジが自己配向してロック機構と整列するようにシリンジを回転案内し、更に、シリンジの回転時にシリンジを軸方向に排出するように構成してもよい。
【００１５】
いくつかの実施形態では、流体注入装置は、先端部と、基端部と、側壁と、それらの間に延在する長手方向軸と、を有する円筒状バレルを有する少なくとも１つのシリンジを含んでもよい。バレルは、側壁の外面から半径方向外側に突出した少なくとも１つのシリンジ保持部材を有してもよい。少なくとも１つのシリンジ保持部材は、基端部に向かう方向に、軸方向にテーパが付けられた表面を有してもよい。この装置は、更に、少なくとも１つのシリンジを収納する少なくとも１つのシリンジポートを画定するインジェクタハウジングと、少なくとも１つのシリンジポートに対応して、少なくとも１つのシリンジポート内に少なくとも１つのシリンジを固定するロック機構と、を有するインジェクタを含んでもよい。ロック機構は、シリンジの少なくとも１つのシリンジ保持部材に係合して、少なくとも１つのシリンジを少なくとも１つのシリンジポート内に解除可能にロックし、且つ、シリンジの回転時に少なくとも１つのシリンジポートから少なくとも１つのシリンジを軸方向に排出するように構成してもよい。
【００１６】
いくつかの実施形態では、第１の表面は、少なくとも１つのシリンジが自己配向してロック機構と整列するようにジリンジを回転案内するように構成してもよい。ロック機構は、基端部と、先端部と、基端部と先端部との間に延在する中心開口部と、を有するハウジングと、ハウジングの先端部に位置する第１の保持リングと、ハウジングの中心開口部内で基端部と第１の保持リングとの間に位置する第２の保持リングと、を含んでもよい。第２の保持リングは、第１の保持リングに対して回転でき、動作可能にシリンジの少なくとも１つのシリンジ保持部材に作動可能に係合できる。第１の保持リングは、少なくとも１つのシリンジの基端部が少なくとも１つのシリンジポートに挿入される際に少なくとも１つのシリンジ保持部材を収納するように構成された少なくとも１つの第１の凹部を有してもよい。少なくとも１つの第１の凹部は、第１の保持リングの内側側壁内に半径方向外側に突出してもよい。少なくとも１つの第１の凹部の側面は、少なくとも１つのシリンジ保持部材の、少なくとも１つの第１の凹部内における動きを案内する案内路を画定してもよい。少なくとも１つの第１の凹部は、少なくとも１つのシリンジの第１の表面を少なくとも１つの第１の凹部内に案内する少なくとも１つの案内面を有してもよい。少なくとも１つのシリンジが基端側に動く際、少なくとも１つのシリンジ保持部材の第１の表面は少なくとも１つの案内面の少なくとも一部に係合してもよい。少なくとも１つの案内面は、先端部から基端部に向かう方向に長手方向軸に対し角度をなしても湾曲してもよい。複数のシリンジ保持部材は、少なくとも１つのシリンジの側壁の外面の少なくとも一部、例えば基端部近傍などの周りに間隔をあけて配置してもよく、複数の第１の凹部は、第１の保持リングの内面の少なくとも一部の周りに間隔をあけて配置してもよい。
【００１７】
他の実施形態においては、第２の保持リングは、第２の保持リングの内側側壁の少なくとも一部に１つ又は複数のロック要素を有してもよい。１つ又は複数のロック要素は、第２の保持リングの内側側壁内に半径方向外側に延在してもよい。１つ又は複数のロック要素は、１つ又は複数の第２の凹部によって分離されてもよい。１つ又は複数の第２の凹部は、少なくとも１つのシリンジの基端部が第１の保持リングを挿通すると、少なくとも１つのシリンジ保持部材を収納するように構成してもよい。第１の保持リングは１つ又は複数の第１の凹部を含んでもよく、第２の保持リングは１つ以上の第２の凹部を含み、前記１つ以上の第２の凹部は、第２の保持リングを回転させ前記１つ以上の第１の凹部と選択的に整列する際、前記少なくとも１つのシリンジ保持部材を収納するように構成される。少なくとも１つの弾性部材が第２の保持リングと結合されていてもよい。シリンジについての情報を検知するため、少なくとも１つのセンサをインジェクタに作動可能に組み込んでもよい。少なくとも１つのセンサは、シリンジ上のコード化デバイスでコード化された情報を読み取るように構成してもよい。
【００１８】
いくつかの実施形態では、流体インジェクタのシリンジポートのロック機構にシリンジを装着する方法は、先端部からシリンジの基端部に向かう方向にテーパが付けられた少なくとも１つのテーパ面を備え、シリンジ側壁の外面から半径方向外側に突出する少なくとも１つのシリンジ保持部材を有するシリンジを用意するステップと、シリンジの少なくとも１つのテーパ面をロック機構の少なくとも一部に係合し、シリンジが自己配向してロック機構と整列するようにシリンジを回転案内するステップと、を含んでもよい。この方法は、更に、シリンジがシリンジポート内で自己配向するステップを含んでもよい。
【００１９】
別の態様によると、本開示は、基端部と、先端部と、基端部および先端部の間で長手方向軸に沿って実質的に周方向に延在する側壁とを有するバレルと、側壁の外面に対して半径方向外側に突出した少なくとも１つの第１の突起を有する少なくとも１つのシリンジ保持部材とを備えるシリンジを提供し、少なくとも１つの第１の突起は、ベース面および少なくとも１つの第３の表面を備え、少なくとも１つの第３の表面は、バレルの長手方向軸に対して基端側に軸方向にテーパーが付けられ、少なくとも１つの第１の突起は、流体インジェクタのシリンジポートのロック機構と係合するよう構成され、および少なくとも１つの第３表面の少なくとも一部は、シリンジの回転時にシリンジポートからシリンジを軸方向に排出する。
【００２０】
さらなる態様によると、本開示は、前述の態様のシリンジを提供し、少なくとも１つの第１の突起が少なくとも１つの第３の表面の基端部に基点をさらに備え、少なくとも１つの第３の表面の少なくとも一部は、シリンジが自己配向してロック機構と整列するようにシリンジを回転的に案内する。
【００２１】
さらなる態様によると、本開示は、少なくとも１つの第３の表面がテーパー状面を画定する平面、セグメント状面、円弧面、曲面、不連続面、およびこれらの組み合わせのうちの１つである、任意の前述の態様のシリンジを提供する。さらなる態様によると、本開示は、少なくとも１つの第３の表面が円弧面である任意の前述の態様のシリンジを提供する。
【００２２】
さらなる 態様によると、本開示は、 ベース面がシリンジ ポート内のロック機構のロック面 と 解放可能に係合して、シリンジを 流体インジェクタに解放可能に ロックする、任意の前述の態様のシリンジを提供する。
【００２３】
さらなる態様によると、本開示は、少なくとも１つの第１の突起が少なくとも１つの第１の表面をさらに備え、少なくとも１つの第１の表面がベース面の第１端部から少なくとも１つの第３の表面の最基端部へ延在する、任意の前述の態様のシリンジを提供する。
【００２４】
さらなる態様によると、本開示は、少なくとも１つの第１の表面および少なくとも１つの第３の表面の最基端部が丸い点、または鋭い点で互いに結合される、任意の前述の態様のシリンジを提供する。
【００２５】
さらなる態様によると、本開示は、少なくとも１つの第１の表面および少なくとも１つの第３の表面の最基端部が丸い点で互いに結合される、任意の前述の態様のシリンジを提供する。
【００２６】
さらになる態様によると、本開示は、少なくとも１つの第１の突起が少なくとも１つの第２の表面をさらに備え、少なくとも１つの第２の表面が、ベース面の第２端部から少なくとも１つの第３の表面の最先端部に延在する、任意の前述の態様のシリンジを提供する。
【００２７】
さらなる態様によると、本開示は、ベース面、少なくとも１つの第１の表面、少なくとも１つの第２の表面、および少なくとも１つの第３の表面が少なくとも１つの第１の突起の頂面の境界を画定する、任意の前述の態様のシリンジを提供する。
【００２８】
さらなる態様によると、本開示は、頂面がバレルの側壁の円周の湾曲に対応する曲面形状を有する、任意の前述の態様のシリンジを提供する。
【００２９】
さらなる態様によると、本開示は、頂面が頂面を形成する複数の個別の表面を備える任意の前述の態様のシリンジを提供する。さらなる態様によると、本開示は、少なくとも１つの第１の突起が頂面の複数の個別の表面によって画定され、頂面から半径方向内向きに突出した少なくとも１つの中空部分を有する、任意の前述の態様のシリンジを提供する。
【００３０】
さらになる態様によると、本開示は、バレルの側壁から半径方向外向きに延在し、かつシリンジを流体インジェクタに解放可能にロックするためにシリンジポート内のロック機構のロック面と解放可能に係合する第２のベース面を備える少なくとも１つの第２の突起をさらに備える、任意の前述の態様のシリンジを提供する。
【００３１】
さらなる態様によると、本開示は、少なくとも１つの第１の突起のベース面、および少なくとも１つの第２の突起の第２のベース面がシリンジのバレルの基端部から同じ長手方向距離である、任意の前述の態様のシリンジを提供する。
【００３２】
さらなる態様によると、本開示は、少なくとも１つの第１の突起および少なくとも１つの第２の突起がバレルの外周の周りに均等に離れている、任意の前述の態様のシリンジを提供する。
【００３３】
さらなる態様によると、本開示は、シリンジが２つの第１の突起を備える、任意の前述の態様のシリンジを提供する。さらなる態様によると、本開示は、２つの第１の突起がバレルの外周の反対側にある、任意の前述の態様のシリンジを提供する。
【００３４】
さらなる態様によると、本開示は、シリンジが４つの第２の突起を備える、任意の前述の態様のシリンジを提供する。さらなる態様によると、本開示は、４つの第２の突起の第１対が互いに隣接し、かつ４つの第２の突起の第２対がバレルの外周の周りで互いに隣接するが、第２の突起の第１対は、第２の突起の第２対と隣接しない、任意の前述の態様のシリンジを提供する。
【００３５】
別の態様によると、本開示は、基端部、先端部、および基端部および先端部の間で長手方向軸に沿って実質的に周方向に延在する側壁を有するバレルと、側壁の外面に対して半径方向外側に突出した少なくとも１つの第１の突起を有する少なくとも１つのシリンジ保持部材とを備え、少なくとも１つの第１の突起がベース面、少なくとも１つの第３の表面、および少なくとも１つの第３の表面の最基端部における基点を備え、少なくとも１つの第３の表面がバレルの長手方向軸に対して基点において基端側に軸方向にテーパーが付けられ、シリンジを流体インジェクタに解放可能にロックするために少なくとも１つの第１の突起が流体インジェクタのシリンジポートのロック機構と係合するよう構成され、かつ基点および少なくとも１つの第３の表面の少なくとも一部は、シリンジが自己配向してロック機構と整列するようにシリンジを回転的に案内する、シリンジを提供する。
【００３６】
さらなる態様によると、本開示は、少なくとも１つの第３の表面の少なくとも一部がシリンジの回転時にシリンジポートからシリンジを軸方向に排出する、任意の前述の態様のシリンジを提供する。
【００３７】
さらなる態様によると、本開示は、テーパー状面を画定する平面、セグメント状面、円弧面、曲面、不連続面、およびこれらの組み合わせのうちの１つである、任意の前述の態様のシリンジを提供する。さらなる態様によると、本開示は、少なくとも１つの第３の表面が円弧面である、任意の前述の態様のシリンジを提供する。
【００３８】
さらなる態様によると、本開示は、少なくとも１つの第１の突起が少なくとも１つの第１の表面をさらに備え、少なくとも１つの第１の表面が基点を形成するようにベース面の第１端部から少なくとも１つの第３の表面の最基端部に延在する、任意の前述の態様のシリンジを提供する。さらなる態様によると、本開示は、少なくとも１つの第１の突起の基点が丸い点または鋭い点を備える、任意の前述の態様のシリンジを提供する。さらなる態様によると、本開示は、少なくとも１つの第１の突起の基点が丸い点を備える、任意の前述の態様のシリンジを提供する。
【００３９】
さらなる態様によると、本開示は、少なくとも１つの第１の突起が少なくとも１つの第２の表面をさらに備え、少なくとも１つの第２の表面がベース面の第２端部から少なくとも１つの第３の表面の先端部に延在する、任意の前述の態様のシリンジを提供する。
【００４０】
さらなる態様によると、本開示は、ベース面、少なくとも１つの第１の表面、少なくとも１つの第２の表面、および少なくとも１つの第３の表面が少なくとも１つの第１の突起の頂面の境界を画定する、任意の前述の態様のシリンジを提供する。
【００４１】
さらなる態様によると、本開示は、頂面がバレルの側壁の円周の湾曲に対応する曲面形状を有する、任意の前述の態様のシリンジを提供する。
【００４２】
さらなる態様によると、本開示は、頂面が頂面を形成する複数の個別の表面を備える任意の前述の態様のシリンジを提供する。さらなる態様によると、本開示は、少なくとも１つの第１の突起が頂面の複数の個別の表面によって画定され、頂面から半径方向内向きに突出した少なくとも１つの中空部分を有する、任意の前述の態様のシリンジを提供する。
【００４３】
さらなる態様によると、本開示は、バレルの側壁から半径方向に外向きに延在し、かつシリンジを流体インジェクタに解放可能にロックするためにシリンジポート内のロック機構のロック面と解放可能に係合する第２ベース面を備える少なくとも１つの第２の突起をさらに備える、任意の前述の態様のシリンジを提供する。
【００４４】
さらなる態様によると、本開示は、少なくとも１つの第１の突起のベース面、および少なくとも１つの第２の突起の第２のベース面がシリンジのバレルの基端部から同じ長手方向距離である、任意の前述の態様のシリンジを提供する。
【００４５】
さらなる態様によると、本開示は、少なくとも１つの第１の突起および少なくとも１つの第２の突起がバレルの外周の周りに均等に離れている、任意の前述の態様のシリンジを提供する。
【００４６】
さらなる態様によると、本開示は、シリンジが２つの第１の突起を備える、任意の前述の態様のシリンジを提供する。さらなる態様によると、本開示は、２つの第１の突起がバレルの外周の反対側にある、任意の前述の態様のシリンジを提供する。
【００４７】
さらなる態様によると、本開示は、シリンジが４つの第２の突起を備える、任意の前述の態様のシリンジを提供する。さらなる態様によると、本開示は、４つの第２の突起の第１対が互いに隣接し、かつ４つの第２の突起の第２対がバレルの外周の周りで互いに隣接するが、第２の突起の第１対は、第２の突起の第２対と隣接しない、任意の前述の態様のシリンジを提供する。
【００４８】
別の態様によると、本開示は、基端部、先端部、および基端部および先端部の間で長手方向軸に沿って実質的に周方向に延在する側壁を有するバレルと、側壁の外面に対して半径方向外側に突出した少なくとも１つの第１の突起を有する少なくとも１つのシリンジ保持部材とを備え、少なくとも１つの第１の突起がベース面、少なくとも１つの第３の表面、および少なくとも１つの第３の表面の最基端部における基点を備え、ベース面は、バレルの長手方向軸に対してほぼ垂直でありかつ、少なくとも１つの第３の表面がバレルの長手方向軸に対して基点において基端側に軸方向にテーパーが付けられ、シリンジを流体インジェクタに解放可能にロックするために少なくとも１つの突起が流体インジェクタのシリンジポートのロック機構と係合するよう構成され、かつ基点および少なくとも１つの第３の表面の少なくとも一部は、シリンジが自己配向してロック機構と整列するようにシリンジを回転的に案内し、かつ少なくとも１つの第３の表面の少なくとも一部が、シリンジの回転時にシリンジポートからシリンジを軸方向に排出する、シリンジを提供する。
【００４９】
シリンジ、シリンジ連結インターフェース、並びにシリンジ及び／又はシリンジ連結インターフェースを有するシステム、並びに関連構成要素及び部品の組み合わせの動作及び機能の方法、並びに製造の経済性のこれら及び他の特徴及び特性については、全てが本明細書の一部をなす、種々の図において対応する部品を同様の参照符号が示す添付の図面を参照し、以下の記載及び添付の特許請求の範囲を考察すると一層明らかになろう。しかしながら、図面は単に説明及び記載のためであることを明確に理解すべきである。本明細書及び特許請求の範囲において使用される場合、単数形「１つの（ａ）」、「１つの（ａｎ）」及び「その（ｔｈｅ）」は別段の明確な指示がない限り複数形の対象物を含む。
【図面の簡単な説明】
【００５０】
【図１Ａ】本発明の一実施形態に係る流体インジェクタ及びシリンジを含むシステムの概略図である。
【図１Ｂ】本発明の一実施形態に係るシリンジの斜視図である。
【図２Ａ】一実施形態に係る、流体インジェクタにシリンジを固定する連結インターフェースの分解斜視図である。
【図２Ｂ】組み立て済みの図２Ａに示された連結インターフェースの詳細斜視図である。
【図２Ｃ】シリンジをシリンジポート内に装着した、図２Ａに示された連結インターフェースの断面図である。
【図２Ｄ】図２Ｃに示された連結インターフェースの断面斜視図である。
【図３Ａ】別の実施形態に係る、流体インジェクタにシリンジを固定する連結インターフェースの正面分解斜視図である。
【図３Ｂ】図３Ａに示された連結インターフェースの後面分解斜視図である。
【図３Ｃ】シリンジをシリンジポート内に装着した、図３Ａに示された連結インターフェースの断面図である。
【図３Ｄ】シリンジポート内に装着されているシリンジを示す、図３Ｃの連結インターフェースの断面図である。
【図３Ｅ】シリンジポートに対してロックされているシリンジを示す、図３Ｃの連結インターフェースの断面図である。
【図３Ｆ】シリンジポートからシリンジをロック解除する第１の工程を示す、図３Ｃの連結インターフェースの断面図である。
【図３Ｇ】シリンジポートからシリンジをロック解除する第２の工程を示す、図３Ｃの連結インターフェースの断面図である。
【図３Ｈ】シリンジポートからシリンジをロック解除する第３の工程を示す、図３Ｃの連結インターフェースの断面図である。
【図４Ａ−４Ｍ】種々の他の実施形態に係る、流体インジェクタにシリンジを固定する連結インターフェースの円筒面投影図を示す。
【図５Ａ−５Ｚ】シリンジ上のシリンジ保持部材の種々の実施形態を示す。
【図６Ａ】本願のシリンジをインジェクタに連結するように構成された継手の斜視図である。
【図６Ｂ】本願のインジェクタにシリンジを連結するように構成されたアダプタの斜視図である。
【図７Ａ−７Ｂ】図６Ａに示された継手の連結部の別の実施形態の斜視図である。
【図８Ａ】流体インジェクタからシリンジを排出する時の、一実施形態に係るシリンジ保持部材及び連結インターフェースにかかる力の概略図である。
【図８Ｂ】シリンジ保持部材とロック機構との間の摩擦係数の関数としての、シリンジを排出する滑り角のグラフである。
【図８Ｃ】連結インターフェースのテーパ面の角度の関数としての、排出時にシリンジにかかる回転力とロック機構の復元力との比のグラフである。
【図９Ａ】流体インジェクタへシリンジを挿入する時に、一実施形態に係るシリンジ保持部材及び連結インターフェースにかかる力の概略図である。
【図９Ｂ】シリンジとロック機構との間の摩擦係数の関数としての、シリンジを排出する滑り角のグラフである。
【図１０Ａ−１０Ｈ】シリンジ上のシリンジ保持部材の種々の実施形態を示す。
【発明を実施するための形態】
【００５１】
以下、説明のために、「上」、「下」、「右」、「左」、「垂直」、「水平」、「頂部」、「底部」、「側方」、「長手方向」、及びそれらの派生語は、本願の図面における方向付けに関連する。シリンジに関して使用する場合、用語「基端側」は、インジェクタへ連結するためにシリンジを方向付けたときに、インジェクタに最も近いシリンジの部分を意味する。用語「先端側」は、インジェクタへの連結のためにシリンジが配向されたときに、インジェクタから最も遠いシリンジの部分を意味する。用語「半径方向」は、基端部と先端部との間に延在するシリンジの長手方向軸に垂直な断面平面における方向を意味する。用語「周方向」は、シリンジの側壁の内面又は外面を回る方向を意味する。用語「軸方向」は、基端部と先端部との間に延在するシリンジの長手方向軸に沿う方向を意味する。用語「自己配向」は、シリンジが挿入される時、技術者の労力なしにシリンジポート内で自己的に正しい方向を向くことを意味する。用語「軸方向のテーパ」、「軸方向テーパリング」及び「軸方向にテーパが付いた」は、円筒面投影図において、シリンジの先端部から基端部に向かう方向の、シリンジの少なくとも１つの仮想面又は実際面の傾斜角を意味する。しかしながら、本明細書で特に明示されていない限り、ほかの変形及び工程順序も想定してもよいことは理解すべきである。また、添付の図面に示し且つ以下の明細書に記載する特定のデバイス及びプロセスは単に本開示の例示的な実施形態であることは理解すべきである。したがって、本明細書中に開示される実施形態（すなわち、態様、変形形態、変形例）に関連する特定の寸法及び他の物理的特性は限定と解釈すべきではない。
【００５２】
いくつかの図において同様の参照符号が同様の部分を意味する図面を参照すると、本願では、概して、シリンジ及びシリンジを流体インジェクタに連結するための連結インターフェースに関する。
【００５３】
図１Ａを参照すると、自動式又は駆動式流体インジェクタなどの流体インジェクタ１０（以下「インジェクタ１０」と呼ぶ）が少なくとも１つのシリンジ１２と接続し、且つ少なくとも１つのシリンジ１２を作動するようになっており、少なくとも１つのシリンジ１２のそれぞれには、造影剤、生理食塩水又は任意の所望の医療流体などの医療用流体Ｆを個々に充填してもよい。インジェクタ１０は、医療処置中に、少なくとも１つのシリンジ１２のプランジャ２６を少なくとも１つのピストンによって駆動することにより、患者の体内に医療用流体を注入するために使用してもよい。インジェクタ１０は、いくつかのシリンジ１２を並列又はその他の形で配列し、において配向してもよく且つインジェクタ１０に関連する各ピストンによって別個に作動されるプランジャ２６を含んでもよいマルチシリンジインジェクタであってもよい。２つのシリンジが並列に配置され、且つ２つの異なる医療用流体が充填された実施形態では、インジェクタ１０が流体をシリンジ１２の一方又は両方から送達するように構成してもよい。
【００５４】
インジェクタ１０は、プラスチック又は金属などの適切な構造材から形成されたハウジング１４内に囲まれてもよい。ハウジング１４は、所望の用途に応じて種々の形状及びサイズであってもよい。例えば、インジェクタ１０は、床面に配置されるように構成された自立構造であってもよく、適切なテーブル又は支持フレーム上に配置されるより小型のデザインであってもよい。インジェクタ１０は、少なくとも１つのシリンジ１２を応じるピストン部材に連結するための少なくとも１つのシリンジポート１６を含む。以下に説明するように、一部の実施形態で、少なくとも１つのシリンジ１２は、インジェクタ１０のシリンジポート１６内にシリンジ１２を保持するように構成された少なくとも１つのシリンジ保持部材を含む。本明細書中に記載されるように、少なくとも１つのシリンジ保持部材は、操作によってインジェクタ１０のシリンジポート１６又はその内部に設けられたロック機構と係合可能で、インジェクタ１０に対するシリンジ１２の自己配向式着脱を容易にするように構成されている。シリンジ保持部材及びロック機構は、ともにインジェクタ１０にシリンジ１２を接続する連結インターフェースを画定する。
【００５５】
少なくとも１つのシリンジ１２から、血管アクセス部位で患者に挿入されるカテーテル、針、又は他の流体送達連結部（不図示）に医療用流体Ｆを送達するために、少なくとも１つの流体流路セット１７が少なくとも１つのシリンジ１２と流体的に連結されてもよい。少なくとも１つのシリンジ１２からの流体の流れは、流体制御モジュール（不図示）により調整される。使用者によって選択された注入パラメータ、例えば、注入流速、所要時間、総注入量、及び／又は造影剤と食塩水の比率などに基づいて、生理食塩水や造影剤などの医療用流体の患者への送達を調整するために、前記流体制御モジュールは、種々のピストン、バルブ、及び／又はフロー調整機構を動作させてもよい。本明細書中に図１Ａを参照して記載した、少なくとも１つのシリンジと、流体インジェクタを備えた少なくとも１つのシリンジの自己配向装填及び解放可能な保持用の少なくとも１つのシリンジインターフェースと、を含む上記システムにおける使用のために変更が施されうる好適なフロントローディング流体インジェクタの一実施形態は、Ｒｅｉｌｌｙらによる特許文献３に開示されており、その全体は参照により本明細書中に援用される。本システムでの使用のために変更が施されうる関連多流体送達システムの別の実施形態は、Ｌａｚｚａｒｏらによる特許文献４、Ｃｏｗａｎらによる特許文献５、特許文献６（特許文献７として公開）；及びＲｉｌｅｙらによる特許文献８に記載されており、これらは全て本願の譲受人に譲渡されたものであり、これら開示は参照により本明細書中に援用される。他の実施形態には、本明細書中に記載されるインターフェースの種々の実施形態を含むように設計された新たな流体インジェクタシステムを含みうる。
【００５６】
インジェクタ１０の全体的な構造及び機能を記載したところで、ここで少なくとも１つのシリンジ１２についてより詳細に説明する。図１Ｂを参照すると、シリンジ１２は一般に、ガラス、金属、又は適切な医療用プラスチックから形成された円筒状のシリンジバレル１８を有する。バレル１８は、基端部２０と、先端部２４と、バレル１８の中心を通って延在する長手方向軸１５の長さに沿って基端部２０と先端部２４との間に延在する側壁１９と、を備える。バレル１８は、透明材料又は半透明材料から作製してもよく、且つ、シリンジバレル１８内の流体Ｆの存在を確認する少なくとも１つの流体確認部材１１を含んでもよい。ノズル２２は、バレル１８の先端部２４から延在する。バレル１８は、外面２１と、流体を収容するように構成された内部容積２５を画定する内面２３と、を有する。バレル１８の基端部２０は、バレル１８内で摺動可能なプランジャ２６によって閉鎖されてもよい。プランジャ２６は、バレル１８内で進む際に、バレル１８の側壁１９の内面２３と液体シールを形成する。プランジャ２６は、インジェクタ１０のピストンに係合するように構成された剛体内部要素２８を有してもよい。プランジャ２６は、更に、剛体内部要素２８の少なくとも一部の上に配置されたエラストマー製カバー２９を含んでもよい。エラストマー製カバー２９は、バレル１８の内部表面２３に係合して、バレル１８内で進む際に、バレル１８の側壁１９と液体シールを形成するように構成されている。
【００５７】
ドリップフランジ３６は、シリンジバレル１８の外面２１から長手方向軸１５に対して半径方向外側に延在してもよい。ドリップフランジ３６は、バレル１８の外周の少なくとも一部の周りに延在してもよい。一実施形態においては、ドリップフランジ３６は長手方向軸１５に沿って、シリンジ保持部材３２に対し先端側に配置されている。ドリップフランジ３６は、ノズル２２から滴下した流体がインジェクタ１０のシリンジポート１６に浸入することを防止するように構成され得る。このようにして、ドリップフランジ３６は、シリンジポート１６に侵入して、連結インターフェース１００（図２Ａに示される）及び／又はインジェクタ１０の内部機構及び電子回路を塞ぐ又は妨害しうる流体の量を低減させるのに役立つ。一部の実施形態で、ドリップフランジ３６はシリンジ１２の挿入部分３０の範囲を制限する停止面を画定する。ドリップフランジ３６は、バレル１８と一体に形成されてもよく、例えば摩擦嵌合及び／又は接着剤、溶接、又は成形によってバレル１８の外面２１に接着又は固定されてもよい。他の実施形態において、ドリップフランジ３６は、エッチング、レーザー切断、又は機械加工によって、バレル１８の外面２１に形成されてもよい。
【００５８】
続いて図１Ｂを参照すると、シリンジ１２の基端部２０は、インジェクタ１０のシリンジポート１６（図１Ａに示される）内に脱離可能に挿入されるように、そのサイズ調整及び改造が実施されている。一部の実施形態では、シリンジ１２の基端部２０は、インジェクタ１０のシリンジポート１６内に脱離可能に挿入されるように構成された挿入部分３０を画定し、シリンジ１２の残りの部分はシリンジポート１６の外部に留まる。本明細書中に詳細に記載されるように、特定の実施形態においては、シリンジ１２の基端部２０は、シリンジ１２をシリンジポート１６内に解除可能に保持するためにインジェクタ１０のシリンジポート１６内の対応するロック機構とロッキング係合を形成するように改造されてなる１つ又は複数のシリンジ保持部材３２を含む。１つ又は複数のシリンジ保持部材３２を有するシリンジとインジェクタ１０のロック機構３５（図２Ａに示される）との組み合わせは、インジェクタ１０に対してシリンジ１２を着脱する連結インターフェースを構成する。一部の実施形態では、１つ以上のシリンジ保持部材３２の少なくとも一部がロック機構の少なくとも一部と協働して、シリンジ１２がシリンジポート１６に対して自己配向することで、シリンジ１２がシリンジポート１６内に解除可能に挿入され、且つシリンジポート１６にロックされる。
【００５９】
図２Ａ〜２Ｄを参照すると、一実施形態では、インジェクタ１０（図１Ａに示される）の少なくとも１つのシリンジポート１６に対して少なくとも１つのシリンジ１２（図１Ｂ）を着脱するための連結インターフェース１００を示す。シリンジ１２及びインジェクタ１０は、シリンジ１２上に設けられた少なくとも１つのシリンジ保持部材３２とインジェクタ１０のシリンジポート１６上に設けられた対応するロック機構３５とを有する連結インターフェース１００を含む。一実施形態においては、少なくとも１つのシリンジ保持部材３２は、シリンジバレル１８の基端部２０又はその近傍に、及び／又は挿入部分３０の少なくとも一部に設けられる。例えば、少なくとも１つのシリンジ保持部材３２は、シリンジバレル１８の外面２１上、且つ挿入部分３０の少なくとも一部に設けられてもよい。少なくとも１つのシリンジ保持部材３２は、バレル１８と一体に形成しても、バレル１８の外面２１に、例えば、摩擦嵌合及び／又は接着剤、溶接、又は成形によって接着又は固定されてもよい。他の実施形態においては、少なくとも１つのシリンジ保持部材３２は、エッチング、レーザー切断、又は機械加工によって、バレル１８の外面２１に形成されてもよい。
【００６０】
図１Ｂを参照すると、少なくとも１つのシリンジ保持部材３２は、シリンジバレル１８の外面２１から長手方向軸１５に対して半径方向外側に突出する１つ又は複数の突起３４を含むように形成されてもよい。一部の実施形態では、複数の突起３４はバレル１８の周縁において半径方向に分離されてもよい。このような実施形態では、突起３４はバレル１８の外面２１の一部によって互いに分離される。各突起３４と、その突起３４と半径方向に隣接する一側（左又は右）のバレル１８の外面２１は、共にシリンジ保持部材３２を画定する。突起３４が２つよりも多く設けられる実施形態では、突起３４はバレル１８の外面２１上に半径方向に均等に又は不均等に間隔をあけて配置されてもよい。図１Ｂに示すような、お互いに等しい角度間隔をあけている６つのシリンジ保持部材３２を備えた、限定的ではなく例示的に示された実施形態では、各シリンジ保持部材３２は６０度にわたって延在し、そのため、お互いに隣接するシリンジ保持部材３２は６０度で分離されている。このような実施形態においては、各突起３４がバレル１８の周縁の３０度にわたって延在してもよく、一方、シリンジ保持部材３２の残りの部分を画定するバレル１８の外面２１の部分が残りの３０度にわたって延在する。他の実施形態においては、各突起３４は、バレル１８の周縁に沿って３０度以上又は３０度以下である角度α（図２Ｂに示される）で延在してもよい。同様に、バレル１８の外面２１の隣接する突起３４間の各部分は、バレル１８の周縁に沿って３０度超又は３０度未満である角度β（図２Ｂに示される）で延在してもよい。一部の実施形態では、シリンジ保持部材３２は、バレル１８の周縁に沿って不均等な角度で延在し、且つ／又はシリンジ保持部材３２間で不均等な角度間隔を有してもよい。更に、１つ又は複数のシリンジ保持部材３２は基端部２０から長手方向軸１５に沿って長手方向に整列させてもよい。他の実施形態においては、少なくとも１つの突起３４は、残りの突起に対し、基端部２０又は先端部２４に向かう方向に長手方向にオフセットしてもよい。１つ又は複数の突起３４が欠けている実施形態においては、対応するシリンジ保持部材３２は、隣接する突起３４間のバレル１８の外面２１である逃げ面によって画定されうる。６０度にわたって延在する各シリンジ保持部材３２を有する実施形態が添付図面に例示されているが、他の角度間隔（例えば、ｘが１〜３６の値である３６０分のｘ度）を有する保持部材３２を備えたシリンジもまた本開示の範囲内である。
【００６１】
図２Ａ〜２Ｂを参照すると、１つ又は複数の突起３４のそれぞれは略三角形、矩形、多角形、又は矢尻形の形状を有してもよい。１つ又は複数の突起３４は、バレル１８の外面２１から半径方向外側に、外面２１に実質的に垂直な方向に突出する。一部の実施形態では、１つ又は複数の突起３４、又は突起３４の一部は、バレル１８の外面２１から半径方向外側に、バレル１８の外面２１と１つ又は複数の突起３４の頂面４６との間で鈍角又は鋭角を持つように突出する。一部の実施形態では、突起３４は互いに同一の形状を有してもよい。他の実施形態においては、突起３４の少なくとも１つは、残りの突起３４の形状と異なる形状を有してもよい。
【００６２】
一部の実施形態では、１つ又は複数の突起３４のそれぞれは、半径方向の断面においてバレル１８の長手方向軸１５に実質的に垂直になるベース面３８を有する。他の実施形態においては、ベース面３８は、半径方向断面においてバレル１８の外周縁の周りに延在する際、長手方向軸１５の方向に対し角度をなしてもよい。ベース面３８は、平面状、セグメント状、弓形状、曲面状、またはそれらの組み合わせであってもよい。一部の実施形態では、ベース面３８は複数の個別部分を有し、これら個別部分が一緒にベース面３８を画定する。当該ベース面３８の複数の個別部分は、平面状、セグメント状、弓形状、曲面状、またはそれらの組み合わせである表面を画定してもよい。
【００６３】
特定の実施形態においては、少なくとも１つの第１の表面４０は、ベース面３８の少なくとも１つの端部から長手方向軸１５に対し実質的に平行な又はテーパの方向に延在してもよい。図２Ｂを参照すると、ベース面３８の対向する両端に一対の第１の表面４０が示されている。一部の実施形態では、少なくとも１つの第１の表面４０は、長手方向軸１５に対して、長手方向軸１５の基端側又は先端側方向に軸方向にテーパが付けられてもよい。長手方向軸１５に対する少なくとも１つの第１の表面４０の軸方向テーパリングは、円筒面投影図において、先端部２４から基端部２０に向かう方向の第１の表面４０の傾斜角である。第１の表面４０は、長手方向軸１５の方向に対して同じ方向又は反対方向にテーパが付けられてもよい。少なくとも１つの第１の表面４０は、ベース面３８と直接連結されてもよい。いくつかの実施形態では、少なくとも１つの第１の表面４０がベース面３８から分離されてもよい。少なくとも１つの第１の表面４０は、平面状、セグメント状、弓形状、曲面状、またはそれらの組み合わせであってもよい。一部の実施形態では、少なくとも１つの第１の表面４０が複数の個別部分を有し、これら複数の個別部分が一緒に第１の表面４０を画定する。少なくとも１つの第１の表面４０の複数の個別部分は、平面状、セグメント状、弓形状、曲面状、またはそれらの組み合わせである表面を画定してもよい。
【００６４】
少なくとも１つの第１の表面４０又はベース面３８から、少なくとも１つの第２の表面４２が延在する。図２Ｂを参照すると、第１の表面４０の基端部から延在する一対の第２の表面４２が示されている。一部の実施形態では、少なくとも１つの第２の表面４２は、長手方向軸１５に対して、長手方向軸１５の基端側又は先端側方向に、軸方向及び周方向に（また、オプションとして半径方向に）テーパが付けられてもよい。いくつかの実施形態では、少なくとも１つの第２の表面４２は、基端側方向に、長手方向軸１５に対して軸方向にテーパが付けられてもよい。長手方向軸１５に対する少なくとも１つの第２の表面４２の軸方向及び周方向のテーパリングは、円筒面投影図において、先端部２４から基端部２０に向かう方向の第２の表面４２の傾斜角である。例えば、少なくとも１つの第２の表面４２は、長手方向軸１５に垂直な面に対して角度γ（図２Ｂに示される）でテーパが付けられてもよい。第２の表面４２のそれぞれは、長手方向軸１５に垂直な面に対し同じ又は異なる角度γでテーパが付けられてもよい。これら第２の表面４２は、丸い又は鋭い先端４４で互いに結合してもよい。少なくとも１つの第２の表面４２は、第１の表面４０、ベース面３８、及び先端４４の少なくとも１つと直接連結されてもよい。一部の実施形態では、少なくとも１つの第２の表面４２は第１の表面４０、ベース面３８、及び先端４４の少なくとも１つから分離されてもよい。一部の実施形態では、第１の表面４０のみが丸い又は鋭い先端４４において結合しうるように、一対の第２の表面４２は省略してもよい。他の実施形態においては、丸い又は鋭い先端４４は、第１の表面４０又は第２の表面４２から分離されてもよい。少なくとも１つの第２の表面４２は、平面状、セグメント状、弓形状、曲面状、またはそれらの組み合わせであってもよい。一部の実施形態では、少なくとも１つの第２の表面４２が複数の個別部分を有し、これら複数の個別部分が一緒に第２の表面４２を画定する。少なくとも１つの第２の表面４２の複数の個別部分は、平面状、セグメント状、弓形状、曲面状、またはそれらの組み合わせである表面を画定してもよい。
【００６５】
ベース面３８、第１及び第２の表面４０、４２、及び先端４４は、１つ又は複数の突起３４のそれぞれの頂面４６の境界又は輪郭を画定する。一部の実施形態で、頂面４６はシリンジバレル１８の湾曲に合わせる形状であってもよい。他の実施形態においては、シリンジバレル１８の表面に対して頂面４６の第１端部が頂面４６の第２端部よりも高くなるように、突起３４の１つ以上の頂面４６は、シリンジバレル１８の外面２１に対して角度をなしてもよい。頂面４６は、連続且つとぎれがなくてもよく、或いは、頂面４６を共に画定する複数の別個の表面を含んでもよい。頂面４６は、平面状、セグメント状、弓形状、曲面状、またはそれらの組み合わせであってもよい。一部の実施形態では、ベース面３８、第１及び第２の表面４０、４２、及び先端４４が、図２Ａ〜２Ｂに示された略矢尻形状を有する突起３４の境界又は輪郭を画定する。
【００６６】
図２Ａ〜２Ｄを参照すると、一実施形態によれば、インジェクタ１０のシリンジポート１６（図１Ａに示される）は、シリンジ１２の少なくとも１つのシリンジ保持部材３２に動作可能に係合するように構成されたロック機構３５を有する。まず図２Ａを参照すると、ロック機構３５は、シリンジ１２の基端部２０を収納するように構成された中心開口部７１を有するハウジング７０を含む。ハウジング７０は、インジェクタ１０（図１Ａに示される）のハウジング１４の一部として、又は、インジェクタ１０のハウジング１４への取付られる部品として形成してもよい。第１の保持リング４８は、ハウジング７０の中心開口部７１が第１の保持リング４８の中心開口部５０と整列されるように、ハウジング７０の先端部に固定されている。第１の保持リング４８は、半径方向に延在するフランジ７４を有する本体７２を有する。本体７２の少なくとも一部は、基端側方向に、フランジ７４から離れるように延在する。ハウジング７０に取り付けられる場合、フランジ７４はハウジング７０の上部に係合し、１つ又は複数の締結具用穴７６内に延在する１つ又は複数の締結具（不図示）によって固定される。第１の保持リング４８の本体７２の少なくとも一部はハウジング７０の中心開口部７１内に挿入される。他の実施形態においては、第１の保持リング４８は、クリップ、ねじ、接着剤、溶接、又はスナップフィットなどの機械的な固定機構によってハウジング７０に固定されてもよい。ハウジング７０に取り付けられている際、第１の保持リング４８の中心軸線５９はハウジング７０の中心軸線と同軸である。
【００６７】
続いて図２Ａを参照すると、第１の保持リング４８の中心開口部５０内の側壁５８の内部部分は、シリンジ１２の挿入部分３０が第１の保持リング４８の中心開口部５０内に挿入される際にシリンジ１２の１つ又は複数の突起３４を収納するように構成された１つ又は複数の第１の凹部６０を有する。１つ又は複数の第１の凹部６０は、側壁５８の内周に等間隔で配置されてもよい。このような実施形態では、第１の凹部６０は、第１の保持リング４８の側壁５８の一部によって互いに分離されている。各第１の凹部６０と、第１の凹部６０の半径方向に隣接する一側（左又は右）の第１の保持リング４８の側壁５８とが、共にシリンジ１２上のシリンジ保持部材３２を収納するための間隙空間６３を画定する。シリンジ保持部材３２が間隙６３内に挿入された際、各間隙空間６３の第１の凹部６０はシリンジ保持部材３２の少なくとも１つの突起３４を収納するように構成されてもよく、第１の保持リング４８の側壁５８はバレル１８の外面２１の一部を収納するように構成され得る。例えば、第１の保持リング４８がその周縁に沿って等しく分離された６つの間隙空間６３を有する実施形態において、各間隙空間６３は隣接する間隙空間６３から６０度分離されている。このような実施形態では、各第１の凹部６０は第１の保持リング４８の周縁に沿って３０度にわたって延在してもよく、間隙空間６３の残りの部分を画定する第１の保持リング４８の側壁５８の部分は周縁に沿って残りの３０度にわたって延在する。他の実施形態においては、第１の保持リング４８は１〜５個又は７〜１２個又はそれ以上の数の間隙空間６３を含んでもよく、各第１の凹部６０が第１の保持リング４８の側壁５８の周縁に沿って３０度超又は３０度未満にわたって延在してもよい。一部の実施形態では、シリンジ１２上の突起３４の数は保持リング４８上の第１の凹部６０の数に一致する。他の実施形態においては、シリンジ１２上の突起３４の数は保持リング４８上の第１の凹部６０の数よりも少ない。このような実施形態では、シリンジ１２上の突起３４は、各突起３４が保持リング４８上の対応する第１の凹部６０と整列できるようにシリンジバレル１８の外周縁に沿って間隔をあけて配置されている。他の実施形態においては、２つ以上の突起３４が少なくとも１つの第１の凹部６０内に収納されるように、シリンジ１２上の突起３４の数が保持リング４８上の第１の凹部６０の数よりも多い。
【００６８】
１つ又は複数の第１の凹部６０のそれぞれは、側壁５８の内部部分へ中心軸線５９に対して半径方向外側に延在する。各第１の凹部６０の側面は、シリンジ１２の挿入部分３０が第１の保持リング４８内に挿入される際及び第１の保持リング４８から出される際に第１の凹部６０に出入りする突起３４の動きを案内するための移動経路を画定する。各第１の凹部６０は、中心軸線５９の方向に沿って実質的に平行に延在する。一部の実施形態では、技術者の案内又は労力なしで突起３４を第１の凹部６０内に挿入することができ、且つシリンジポート１６内のシリンジ１２を自己整列させることができるように、各第１の凹部６０は、自己配向して第１の凹部６０と整列されるように突起３４を案内する１つ又は複数の案内面６２及び６５を有してもよい。案内面６２及び６５は、突起３４の第２の表面４２の動きを自己配向させて案内するために、第１の凹部６０の開口部に向かって半径方向及び軸方向に傾斜してもよい。一部の実施形態で、案内面６５は、案内面６５の第１部分が１つの第１の凹部６０に向かって傾斜し、案内面６５の第２部分が隣接する第１の凹部６０に向かって傾斜するように、軸方向に向けられてもよい。１つ又は複数の案内面６２及び６５は、シリンジ１２の１つ又は複数の突起３４をシリンジポート１６上の対応する１つ又は複数の第１の凹部６０内に案内することによって、シリンジ１２がシリンジポート１６内に挿入される際にシリンジ１２の自己配向を補助する。このようにして、その長手方向軸１５がシリンジポート１６の軸線５９と軸方向に整列していなくてもよいシリンジ１２、及びシリンジ１２の長手方向軸１５を中心とした回転方向において対応する１つ又は複数の第１の凹部６０と初めは整列していなくてもよい１つ又は複数の突起３４は、少なくとも突起３４の第２の表面４２と１つ又は複数の案内面６２及び６５との相互作用によって、シリンジポート１６と軸方向に及び１つ又は複数の第１の凹部６０と回転自在に整列される。１つ又は複数の第１の凹部６０は中心軸線５９に実質的に垂直な底面６７を有してもよい。一部の実施形態では、底面６７は、半径方向に角度をなしてもテーパが付けられてもよい。
【００６９】
図２Ａの実施形態をさらに参照すると、ロック機構３５は、更に、内側側壁８０を備えた実質的に環状の第２の保持リング７８を含んでもよい。第２の保持リング７８は、第１の保持リング４８の本体７２の基端部とハウジング７０の底部８２との間の、ハウジング７０の中心開口部７１内に配置されている。本明細書中に更に詳述するように、第２の保持リング７８は、互いに固定された第１の保持リング４８及びハウジング７０に対し回転可能である。第２の保持リング７８は、１つ又は複数の第１のロック要素８４、及び任意選択的に、内側側壁８０の少なくとも一部に配置された１つ又は複数の第２のロック要素８６を有してもよい。１つ又は複数の第１及び第２のロック要素８４、８６は、内側側壁８０の周縁に沿って第１のロック要素８４の両側に設けられた第２のロック要素８６を各第１のロック要素８４が有するように交互に配置してもよい。他の実施形態においては、複数の第１のロック要素８４に対し、少なくとも１つの第２のロック要素８６が提供される。一部の実施形態では、第１及び第２のロック要素８４、８６の総数は、第１の凹部６０及び／又はシリンジ１２の少なくとも１つのシリンジ保持部材３２の総数に一致してもよい。他の実施形態においては、第１及び第２のロック要素８４、８６の総数は、シリンジ１２の少なくとも１つのシリンジ保持部材３２の数の倍数又は分数に一致してもよい。
【００７０】
１つ又は複数の第１及び第２のロック要素８４、８６は、第２の保持リング７８の内側側壁８０から半径方向外側に延在し、且つ１つ又は複数の第２の凹部８８によって分離されている。シリンジ１２の挿入部分３０が第１の保持リング４８の中心開口部５０内に挿入されると、１つ又は複数の第２の凹部８８はシリンジ１２の１つ又は複数の突起３４を収納するように構成されている。１つ又は複数の第２の凹部８８が第１の保持リング４８上の１つ又は複数の第１の凹部６０と選択的に整列されうるように１つ又は複数の第２の凹部８８は第２の保持リング７８の内側側壁８０の周縁に配置されている。例えば、第１の保持リング４８がハウジング７０周囲に均等に分離された６つの第１の凹部６０を有する実施形態では、第２の保持リング７８は、また、両側に隣接する第２の凹部８８から均等に分離された（すなわち６０度分離された）６つの第２の凹部８８を有してもよい。
【００７１】
図２Ｂを参照すると、１つ又は複数の第１のロック要素８４は、少なくとも１つの突起３４の少なくとも第２の表面４２に係合するように構成された第１の傾斜面９０を有する。第１の傾斜面９０は、直線状、セグメント状、曲面状、またはそれらの組み合わせであってもよい。１つ又は複数の第１のロック要素８４は、更に、突起３４の先端４４、第１の表面４０、及び／又は第２の表面４２の少なくとも１つに係合するように構成された第２の傾斜面９２を有してもよい。同様に、１つ又は複数の第２のロック要素８６は、突起３４の先端４４、第１の表面４０、及び／又は第２の表面４２の少なくとも１つに係合するように構成された第２の傾斜面９２を有してもよい。第２の傾斜面９２は、直線状、セグメント状、曲面状、またはそれらの組み合わせであってもよい。１つ又は複数の第２のロック要素８６の第１の傾斜面９０は、第２の保持リング７８の頂面に実質的に平行する線形頂面９４へと移行してもよい。１つ又は複数の第１のロック要素８４の第１の傾斜面９０の角度及び外形は、ロック要素８４及び８６の第２の傾斜面９２と同じでもよく、異なっていてもよい。一部の実施形態では、第１の傾斜面９０のみが直線状、セグメント状、曲面状、又はこれらの組み合わせの形態に設けられてもよい。
【００７２】
続いて図２Ｃ〜２Ｂを参照すると、１つ又は複数の第１のロック要素８４は、内側側壁８０に沿って、１つ又は複数の第２のロック要素８６よりも高く延在してもよい。第１の保持リング４８から基端側に延在する１つ又は複数のロックタブ９６の相対的な摺動に対応するために、１つ又は複数の第２のロック要素８６の線形頂面９４は１つ又は複数の第１のロック要素８４の頂部よりも低く配置してもよい。シリンジ１２がシリンジポート１６内に挿入されると、１つ又は複数のロックタブ９６は１つ又は複数の突起３４の回転停止面を画定する。他の実施形態においては、１つ又は複数のロックタブ９６は１つ又は複数の第２のロック要素８６とは離れている。本明細書中に記載されるように、一部の実施形態では、１つ又は複数のロックタブ９６はシリンジ及び／又は突起３４の少なくとも１つに設けてもよい。
【００７３】
図２Ｄを参照すると、第２の保持リング７８はハウジング７０内に回転自在に保持される。少なくとも１つのガイドピン９８が第２の保持リング７８の底面から基端側に延在する。少なくとも１つのガイドピン９８はハウジング７０の底部８２に形成された少なくとも１つのガイドピンスロット１０１内に収容される。少なくとも１つのガイドピンスロット１０１は、底部８２（図２Ａを参照）の周縁の一部にわたって延在してもよい。バネのような少なくとも１つの弾性部材１０２（図２Ａに示される）が、第２の保持リング７８の少なくとも一部及びハウジング７０の少なくとも一部に連結又は接触されている。一実施形態においては、弾性部材１０２は、一端が少なくとも１つのガイドピン９８に連結又は接触され、反対端が少なくとも１つのガイドピンスロット１０１の端部に連結又は接触されてもよい。少なくとも１つの弾性部材１０２（図２Ａに示される）は、１つ又は複数の第１の凹部６０が１つ又は複数の第２の凹部８８と整列されていない第１の位置に、第２の保持リング７８を付勢する（図２Ｂを参照）。本明細書中に記載されるように、シリンジポート１６内にシリンジ１２を挿入することによって、１つ又は複数の突起３４は１つ又は複数の第１及び第２のロック要素８４、８６に係合して、第２の保持リング７８を第２の位置に回転し、１つ又は複数の第２の凹部８８内への１つ又は複数の突起３４の挿入を可能にする。
【００７４】
シリンジポート１６内にシリンジ１２を挿入するため、シリンジ１２の挿入部分３０を第１の保持リング４８に接触させる。突起３４が最初に第１の凹部６０に対して整列されていない場合、挿入部分３０が保持リング４８に対し基端側に動くにつれて、案内面、例えば、１つ又は複数の突起３４における先端４４、及び／又は少なくとも１つの第１の表面４０、及び／又は少なくとも１つの第２の表面４２、およびロック機構３５上の案内面６２、６５が、突起３４を第１の凹部６０と自己的に整列されるように案内する。第１の保持リング４８に対するシリンジ１２の基端側への継続的な動きにより、１つ以上の突起３４の１つ又は複数の少なくとも一部が第２の保持リング７８の１つ又は複数の第１及び第２のロック要素８４、８６に接触するまで突起３４が第１の凹部６０内に案内される。第１及び第２の傾斜面９０、９２は、突起３４の表面４０、４２又は先端４４の少なくとも１つに係合するように構成されている。第１の保持リング４８に対するシリンジ１２の基端側への継続的な動きにより、突起３４が第１及び／又は第２の傾斜面９０、９２、つまり第２の保持リング７８に対して基端側への力を作用する。第２の保持リング７８の基端側への動きがハウジング７０によって阻止されているため、且つ、第１及び第２の傾斜面９０、９２、及び／又は突起３４の先端４４、及び／又は少なくとも１つの第１の表面４０、及び／又は少なくとも１つの第２の表面４２の勾配又はテーパのため、基端側への動きは回転方向成分を有する力を生成し、当該力の回転方向成分は少なくとも１つの弾性部材１０２の復元力に反して、第２の保持リング７８を図２Ｂに示された第１の位置から１つ又は複数の第１の凹部６０が１つ又は複数の第２の凹部８８と整列される第２の位置に回転させる。この実施形態で、突起３４の先端４４、及び／又は少なくとも１つの第１の表面４０、及び／又は少なくとも１つの第２の表面４２は、ロック又は取付機構３５を強制的に開く開口面である。１つ又は複数の突起３４は、第２の保持リング７８を第１の方向、例えば時計回り又は反時計回り方向に回転させてもよい。シリンジポート１６内でシリンジ１２が基端側へ動く間に第２の保持リング７８が回転するにつれて、１つ又は複数の突起３４は、突起３４の先端４４が１つ又は複数の第２の凹部８８の底部又は停止面に係合するまで、対応する１つ又は複数の第２の凹部８８内に案内される。オペレータがシリンジ１２を解放すると、弾性部材１０２の復元作用によって、第２の保持リング７８は、第１の方向とは反対の第２の方向に沿って、第２の位置から第１の位置に回転する。一実施形態によれば、ハウジング７０に対する第２の保持リング７８の回転により、１つ又は複数の突起３４が第１の保持リング４８の１つ又は複数の保持面６４の後方に固定され、１つ又は複数のロックタブ９６に係合するまで、シリンジ１２は第２の保持リング７８と共に回転する。この例示的実施形態において、第１の表面４０はロックタブ９６と相互作用する回転停止面である。一部の実施形態では、第２の保持リング７８の動きは、１つ又は複数のガイドピンスロット１０１内の１つ又は複数のガイドピン９８の位置によって制限される。或いは、第２の保持リング７８の１つ又は複数の第１及び第２のロック要素８４、８６が、第１の保持リング４８上の１つ又は複数の要素例えば、１つ又は複数の延在するロックタブ９６と相互作用することで、第２の保持リング７８の回転を制限する。第２の保持リング７８がシリンジ１２と共に第１の位置に回転されると、１つ又は複数の突起３４の１つ又は複数のベース面３８と相互作用する第１の保持リング４８の１つ又は複数の保持面６４によってシリンジ１２が先端側へ取り外しを妨げられるように、１つ又は複数の第２の凹部８８は１つ又は複数の第１の凹部６０に対しオフセットされる。
【００７５】
別の実施形態では、弾性部材１０２は、突起３４をロックタブ９６に接近又は保持するトルクを常に付与する。一部の実施形態では、第２の傾斜面９２は常時に突起３４の第２の表面４２に付勢される。このような実施形態で、シリンジ１２がそれ以上回転できないため、２つの表面の間の力がシリンジ１２を先端側に付勢して、１つ又は複数のベース面３８を１つ又は複数の保持面６４に押し付ける。このようにすると、取り付け及び取り外し時にシリンジ１２の自由移動を可能にするために必要な機械的弛み、揺動、又は隙間を占めるという利点がある。シリンジ１２の充填時に反対側又は基端側への動きが最小限になるまでシリンジ１２をしっかりとロックするように、トルクの大きさ、表面のスロープ／テーパ、及び係る摩擦を調整することができる。シリンジ１２がシリンジポート１６内に着座、ロックされる際、聴覚的及び／又は触覚的フィードバックを提供してもよい。聴覚的及び／又は触覚的フィードバックは、シリンジ１２がロック位置に達する際、シリンジ１２の任意の表面とシリンジポート１６の対応する表面との相互作用によって発生してもよい。例えば、聴覚的及び／又は触覚的フィードバックは、先端４４、及び／又は少なくとも１つの第１の表面４０、及び／又は少なくとも１つの第２の表面４２などの突起３４の少なくとも１つの表面と、ロック機構３５の少なくとも一部との相互作用によって発生する。係合時の弾性部材１０２の力によるシリンジ１２の回転は、触覚的フィードバックを生成してもよい。
【００７６】
シリンジポート１６からシリンジ１２をロック解除して取り出すため、弾性部材１０２の復元力に反して、シリンジ１２を第１の保持リング４８に対して中心軸線５９を中心に回転させる。例えば、シリンジ１２を時計回り方向に回転させることでシリンジ１２がシリンジポート１６内にロックされている場合、シリンジ１２を反時計回り方向に回転させることでロックを解除することができる。シリンジ１２の回転により、第２の凹部８８が第１の凹部６０と整列される。その後、シリンジ１２を先端側へ移動させ、シリンジポート１６から取り出す／排出できる。シリンジ１２を回す過程で、つまり、弾性部材１０２の力に反して第２の保持リング７８を回転させる過程で、シリンジ１２の少なくとも１つの第２の表面４２又は先端４４と、第２の保持リング７８の第１及び／又は第２の傾斜面９０、９２とが相互作用して、シリンジ１２へ先端側の力を付与し、シリンジポート１６からシリンジ１２を排出／付勢する。シリンジ１２が解除、解放、又は脱離されると、シリンジ１２は使用者によってシリンジポート１６から自由に取り外し又は引き抜かれる。本明細書の一部の実施形態では、シリンジ１２がシリンジポート１６から解除されると、技術者の案内又は労力なしに、シリンジ１２をシリンジポート１６から先端側に排出、押す、付勢、又は動かす軸方向の力がある。一実施形態において、この力又は動きは、シリンジポート１６からシリンジ１２全体を完全に排出するのには十分でないが、回転が解除にとって十分になって、シリンジ１２をシリンジポート１６からより容易に取り外すことができるのを示す触覚表示又はフィードバックを使用者に与えるのには十分であってもよい。例えば、シリンジバレル１８の回転により、突起３４の先端４４が、第２の保持リング７８の第１及び／又は第２の傾斜面９０、９２の面に沿って先端側に表面を摺動してもよい。１つ又は複数の突起３４のベース面３８が第２の保持リング７８上の対応する１つ又は複数の保持面６４から離れると、シリンジ１２が先端側への力によって先端側に付勢され、可能であれば、第１の位置でシリンジポート１６から排出され、オペレータに、シリンジ１２が完全に解除されシリンジポート１６から取り外すできることを示す。シリンジ１２がシリンジポート１６から取り外されると、次に新たなシリンジ１２を挿入するために、第２の保持リング７８が弾性部材１０２の復元力によって第１の位置に戻る。図２Ａ〜２Ｄに示される実施形態では、シリンジ１２を長手方向軸１５を中心に３０度以下回転し、シリンジ１２を解除してシリンジポート１６から取り外してもよい。
【００７７】
ロック機構３５の動作は、シリンジ１２の１つ以上のベース面３８が第１の保持リング４８の１つ又は複数の保持面６４に係合すると、協働してシリンジ１２をシリンジポート１６内に保持するシリンジ１２及びシリンジポート１６の保持面の相互作用を通して更に説明できる。シリンジ１２を自己配向させ取り付けるために、協働してシリンジ１２とシリンジポート１６を自己整列又は自動的に回転整列するシリンジ１２及びシリンジポート１６の案内面は、シリンジ１２の１つ又は複数の第２の表面４２、及び／又は先端４４、およびシリンジポート１６の１つ又は複数の案内面６５を含む。シリンジ１２を取り付けるために、協働してシリンジポート１６を開くシリンジ１２及びシリンジポート１６の開口面は、シリンジ１２の１つ又は複数の第２の表面４２、およびシリンジポート１６の１つ以上の第１及び／又は第２の傾斜面９０、９２を含む。機械的な弛み又は公差を占めるために協働するシリンジ１２及びシリンジポート１６の締め付け面は、シリンジ１２の１つ又は複数の表面３８、４０、４２、及び／又はシリンジポート１６の表面６４、９６、９０、９２を含む。協働してシリンジポート１６からシリンジ１２を解除又は取り外すシリンジ１２及びシリンジポート１６の分離面は、シリンジ１２の表面４２、及びシリンジポート１６の表面９０、９２を含む。協働してシリンジポート１６からのシリンジ１２の排出を促す先端側への力を生成するシリンジ１２及びシリンジポート１６の排出面は、シリンジ１２の第２の表面４２、及びシリンジポート１６の第２の傾斜面９２を含む。シリンジ１２上にルアーコネクタがねじ止めされると、協働して回転を防止するシリンジ１２及びシリンジポート１６の回転停止面は、シリンジ１２の１つ又は複数の第１の表面４０、及びシリンジポート１６の１つ又は複数のロックタブ９６を含み、シリンジ１２の１つ又は複数のベース面３８とシリンジポート１６の１つ又は複数の保持面６４との間の任意の摩擦力も考えられる。シリンジをシリンジポート１６内に嵌合可能にするシリンジ逃げ面は、第１の保持リング４８の側壁５８を通過する、突起３４と半径方向に隣接する一側（左又は右）に位置するバレル１８の外面２１である。
【００７８】
図３Ａ〜３Ｂを参照すると、別の実施形態に係る、少なくとも１つのシリンジ１２をインジェクタ１０の少なくとも１つのシリンジポート１６に対して着脱する連結インターフェース１００が示される。シリンジ１２及びインジェクタ１０は、シリンジ１２に設けられた少なくとも１つのシリンジ保持部材３２と、インジェクタ１０のシリンジポート１６に設けられた対応するロック機構３５と、を有する連結インターフェース１００を含む。
【００７９】
図３Ａ〜３Ｂを参照すると、シリンジ１２は概してガラス又は適切な医療用プラスチックから形成された円筒状のシリンジバレル１８を有する。バレル１８は、基端部２０と、先端部２４と、バレル１８の中心を通って延在する長手方向軸１５の長さに沿って基端部２０と先端部２４との間で延在する実質的に円筒状の側壁１９（図３Ｂに示される）を備える。ノズル２２は、バレル１８の先端部２４から延在する。バレル１８は、外面２１と、医療用流体を収容する内部容積２５（図３Ｂに示される）を画定する内面２３（図３Ｂに示される）と、を有する。
【００８０】
オプションとして、ドリップフランジ３６がシリンジバレル１８の外面２１から長手方向軸１５に対して半径方向外側に延在してもよい。ドリップフランジ３６は、バレル１８の外周縁の少なくとも一部に延在してもよい。一実施形態においては、ドリップフランジ３６は、長手方向軸１５上において、シリンジ保持部材３２に対して先端側に配置されている。ドリップフランジ３６は、ノズル２２から滴下した流体がインジェクタ１０のシリンジポート１６に浸入することを防止するように構成され得る。このようにして、ドリップフランジ３６は、シリンジポート１６に侵入して、連結インターフェース１００及び／又はインジェクタ１０の内部機構及び電子回路（図１Ａに示される）を塞ぐ又は妨害しうる流体の量を低減させるのに役立つ。一部の実施形態で、ドリップフランジ３６はシリンジ１２の挿入部分３０の範囲を制限する停止面を画定する。ドリップフランジ３６は、バレル１８と一体に形成されてもよく、例えば摩擦嵌合及び／又は接着剤、溶接、又は成形によってバレル１８の外面２１に接着又は固定されてもよい。他の実施形態において、ドリップフランジ３６は、エッチング、レーザー切断、機械加工、又は成形によって、バレル１８の外面２１に形成してもよい。
【００８１】
続いて図３Ａ〜３Ｂを参照すると、シリンジ１２の基端部２０は、インジェクタ１０のシリンジポート１６（図１Ａに示される）内に挿入できるように、サイズ調整および改造が実施されている。一部の実施形態では、シリンジ１２の基端部２０は、インジェクタ１０のシリンジポート１６内に脱離可能に挿入される挿入部分３０を画定し、シリンジ１２の残りの部分はシリンジポート１６の外部に留まる。図３Ａ〜３Ｂに示される実施形態によれば、シリンジポート１６内の対応するロック機構３５とロック係合を形成するために、後に説明するように、シリンジバレル１８の基端部２０又はその近傍に１つ又は複数のシリンジ保持部材３２が設けられる。例えば、１つ又は複数のシリンジ保持部材３２は、シリンジバレル１８の外面２１に設けられる。シリンジ保持部材３２は、バレル１８と一体に形成されてもよく、バレル１８の外面２１に、例えば、摩擦嵌合、溶接、及び／又は接着剤を使用して接着或いは固定されてもよい。他の実施形態においては、シリンジ保持部材３２は、エッチング、レーザー切断、機械加工、又は成形によって、バレル１８の外面２１に形成されてもよい。１つ又は複数のシリンジ保持部材３２を有するシリンジ１２とインジェクタ１０のロック機構３５（図１Ａに示される）との組み合わせは、インジェクタ１０に対してジリンジを着脱する連結インターフェースを画定する。一部の実施形態では、１つ又は複数のシリンジ保持部材３２はロック機構３５の少なくとも一部と協働して、シリンジ１２をシリンジポート１６に対して自己配向させて、シリンジ１２をシリンジポート１６に解除可能にロックさせる。
【００８２】
図３Ａ〜３Ｂに示される実施形態では、少なくとも１つのシリンジ保持部材３２は、シリンジバレル１８の外面２１から長手方向軸１５に対して半径方向外側に突出する、１つ又は複数の第１の突起３４、及びオプションとして設けられる１つ又は複数の第２の突起３７で構成される。１つ又は複数の第１の突起３４及び／又は１つ又は複数の第２の突起３７は、バレル１８の外面２１から半径方向外側に、外面２１に実質的に垂直な方向に突出する。２つよりも多い第１及び／又は第２の突起３４、３７が設けられる実施形態では、第１及び第２の突起３４、３７は、バレル１８の外周縁に半径方向に均等又は不均等な間隔をあけて配置されてもよい。このような実施形態では、第１及び第２の突起３４、３７は、バレル１８の外面２１の一部によって互いに分離される。各第１又は第２の突起３４、３７と、第１又は第２の突起３４、３７と半径方向に隣接する一側（左又は右）に位置するバレル１８の外面２１は、共にシリンジ保持部材３２を画定する。一部の実施形態では、複数の第１及び／又は第２の突起３４、３７が突起組を形成し、第１又は第２の突起３４、３７からなる１つ又は複数の隣接する突起組からバレル１８の周縁に沿って半径方向に分離される。例えば、お互いに等しい角度間隔をあける６つのシリンジ保持部材３２を有する一実施形態で、各シリンジ保持部材３２は６０度にわたって延在するので、両側に隣接するシリンジ保持部材３２から６０度だけ分離されている。このような一実施形態において、各第１又は第２の突起３４、３７はバレル１８の周縁に沿って３０度にわたって延在してもよく、シリンジ保持部材３２の残こりの部分を画定するバレル１８の外面２１の部分は周縁の残りの３０度にわたって延在する。他の実施形態において、各第１又は第２の突起３４、３７は、バレル１８の周縁に沿って３０度超又は３０度未満にわたって延在してもよい。一部の実施形態では、シリンジ保持部材３２は、バレル１８の周縁に沿って、不均等な角度で延在し、且つ／又はシリンジ保持部材３２間で不均等な角間隔を有してもよい。１つ又は複数の第１の突起３４は、１つ又は複数の第２の突起３７に対して長手方向軸１５に沿って長手方向にオフセットされる。一実施形態においては、１つ又は複数の第１の突起３４は、１つ又は複数の第２の突起３７よりも基端部２０の近傍に配置される。他の実施形態においては、１つ又は複数の第１の突起３４の少なくとも一部が１つ又は複数の第２の突起３７の少なくとも一部に比べて基端部２０から同じ長手方向における距離に位置するように、１つ又は複数の第１の突起３４は長手方向軸１５に沿って１つ又は複数の第２の突起３７と長手方向に整列される。１つ又は複数の突起３４又は３７が無い一実施形態では、対応する保持部材３２を逃げ面と定義してもよく、この逃げ面は隣接する突起３４、３７間のバレル１８の外面２１である。６０度にわたって延在する各シリンジ保持部材３２を有する実施形態が添付図面に例示されているが、他の分離角度間隔（例えば、ｘが１〜３６うちの値である３６０分のｘ度）を有する保持部材３２を備えたシリンジもまた本開示の範囲内である。
【００８３】
続いて図３Ａを参照すると、１つ又は複数の第１の突起３４のそれぞれは、略三角形、多角形、矢尻形を有してもよく、或いは、図５Ａ〜Ｚ又は図１０Ａ〜Ｈに示された形状であってもよい。１つ又は複数の第１の突起３４のそれぞれは、バレル１８の長手方向軸１５に実質的に垂直であってもよいベース面３８を有する。一部の実施形態では、ベース面３８は半径方向断面において長手方向軸１５の方向に対して角度をなしてもよい。他の実施形態においては、ベース面３８は、半径方向断面においてバレル１８の外周縁に延在する際、長手方向軸１５の方向に対して角度をなしてもよい。ベース面３８は、平面状、セグメント状、弓形状、曲面状、またはそれらの組み合わせであってもよい。一部の実施形態では、ベース面３８は、複数の個別部分を有し、これらの個別部分が一緒にベース面３８を画定する。ベース面３８の複数の個別部分が、平面状、セグメント状、弓形状、曲面状、またはそれらの組み合わせである表面を画定してもよい。
【００８４】
一実施形態において、少なくとも１つの第１の表面４０は、ベース面３８の一端において長手方向軸１５に実質的に平行する方向に延在してもよい。一部の実施形態では、少なくとも１つの第１の表面４０は長手方向軸１５に対し、長手方向軸１５の基端側又は先端側方向に軸方向にテーパが付けられてもよい。長手方向軸１５に対する少なくとも１つの第１の表面４０の軸方向でのテーパリングは、円筒面投影図において、先端部２４から基端部２０に向かう方向の第１の表面４０の傾斜角と定義されうる。少なくとも１つの第１の表面４０は、ベース面３８と直接連結されてもよい。一部の実施形態では、少なくとも１つの第１の表面４０はベース面３８から分離されてもよい。少なくとも１つの第１の表面４０は、平面状、セグメント状、弓形状、曲面状、またはそれらの組み合わせであってもよい。一部の実施形態では、少なくとも１つの第１の表面４０が複数の個別部分を有し、これら複数の個別部分が一緒に第１の表面４０を画定する。少なくとも１つの第１の表面４０の複数の個別部分は、平面状、セグメント状、弓形状、曲面状、またはそれらの組み合わせである表面を画定してもよい。
【００８５】
少なくとも１つの第２の表面４０’は、第１の表面４０とは反対側のベース面３８の一端で長手方向軸１５に実質的に平行する方向に延在してもよい。一部の実施形態では、少なくとも１つの第２の表面４０’は長手方向軸１５に対し、長手方向軸１５の基端側又は先端側方向に軸方向にテーパが付けられてもよい。長手方向軸１５に対する少なくとも１つの第２の表面４０’の軸方向テーパリングは、円筒面投影図において、先端部２４から基端部２０に向かう方向の第２の表面４０’の傾斜角と定義されうる。少なくとも１つの第２の表面４０’は、ベース面３８と直接連結されてもよい。一部の実施形態では、少なくとも１つの第２の表面４０’は、ベース面３８から分離されてもよい。少なくとも１つの第２の表面４０’は、平面状、セグメント状、弓形状、曲面状、またはそれらの組み合わせであってもよい。一部の実施形態で、少なくとも１つの第２の表面４０’が複数の個別部分を有し、これら複数の個別部分が一緒に第２の表面４０’を画定する。少なくとも１つの第２の表面４０’の複数の個別部分は、平面状、セグメント状、弓形状、曲面状、またはそれらの組み合わせである表面を画定してもよい。
【００８６】
一部の実施形態では、少なくとも１つの第３の表面４２は第２の表面４０’の一端から第１の表面４０の端部まで延在する。少なくとも１つの第３の表面４２は、長手方向軸１５に対し、長手方向軸１５の基端側又は先端側方向に軸方向にテーパが付けられてもよい。一部の実施形態では、少なくとも１つの第３の表面４２は、長手方向軸１５に対して基端側方向に軸方向にテーパが付けられてもよい。長手方向軸１５に対する少なくとも１つの第３の表面４２の軸方向テーパリングは、円筒面投影図において、先端部２４から基端部２０に向かう方向の少なくとも１つの第３の表面４２の傾斜角と定義されうる。少なくとも１つの第３の表面４２と少なくとも１つの第１の表面４０とは、丸い又は鋭い先端４４で互いに結合してもよい。少なくとも１つの第３の表面４２は、先端４４で第１の表面４０の少なくとも１つと直接連結されてもよい。一部の実施形態では、少なくとも１つの第３の表面４２は先端４４において第１の表面４０の少なくとも１つから分離されてもよい。一部の実施形態では、先端４４は、少なくとも１つの第３の表面４２及び第１の表面４０から分離されてもよい。少なくとも１つの第３の表面４２は、平面状、セグメント状、弓形状、曲面状、またはそれらの組み合わせであってもよい。一部の実施形態で、少なくとも１つの第３の表面４２は複数の個別部分を有し、これら複数の個別部分が一緒に第３の表面４２を画定する。少なくとも１つの第３の表面４２の複数の個別部分は、平面状、セグメント状、弓形状、曲面状、またはそれらの組み合わせである表面を画定してもよい。
【００８７】
ベース面３８、及び第１、第２、第３の表面４０、４０’、４２は、１つ又は複数の第１の突起３４のそれぞれの頂面４６を画定する。一部の実施形態では、頂面４６はシリンジバレル１８の湾曲に対応するような形状であってもよい。他の実施形態においては、シリンジバレル１８の表面に対して頂面４６の第１端部が頂面４６の第２端部よりも高くなるように、突起３４の１つ又は複数の頂面４６は、シリンジバレル１８の外面２１に対して角度をなす。頂面４６は、連続的且つとぎれがなくてもよく、或いは、頂面４６は、頂面４６を共に画定する複数の別個の表面を含んでもよい。頂面４６は、平面状、セグメント状、弓形状、曲面状、またはそれらの組み合わせであってもよい。
【００８８】
１つ又は複数の第２の突起３７のそれぞれは、バレル１８の外面２１から半径方向外側に延在する突起物として形成してもよい。１つ又は複数の第２の突起３７は、オプションとして、バレル１８の外面２１から少なくとも１つの第２の突起３７の頂面１０６まで、バレル１８の周方向に沿って延在する傾斜した解除部材１０４を有する。傾斜した解除部材１０４がある場合、傾斜した解除部材１０４は単純な２部品型でのシリンジ１２の成形を容易にしてもよい。一部の実施形態では、頂面１０６はシリンジバレル１８の湾曲に対応するような形状であってもよい。他の実施形態においては、頂面１０６はシリンジバレル１８の外面２１に対し角度をなしてもよい。頂面１０６は連続的且つとぎれがなくてもよく、或いは、頂面１０６は、頂面１０６を共に画定する複数の別個の表面を含んでもよい。頂面１０６は、平面状、セグメント状、弓形状、曲面状、またはそれらの組み合わせであってもよい。本明細書中に記載されるように、解除部材１０４は第３の保持リング１０８に係合し、シリンジ１２をシリンジポート１６から解放するように構成してもよい。
【００８９】
続いて図３Ａを参照すると、インジェクタ１０（図１Ａに示される）の少なくとも１つのシリンジポート１６は、シリンジ１２の少なくとも１つのシリンジ保持部材３２に作動可能に係合するように構成されたロック機構３５を有する。ロック機構３５は、シリンジ１２の基端部２０を収納するように構成された中心開口部７１を備えたほぼ円形形状を有するハウジング７０を含む。ハウジング７０は、インジェクタ１０（図１Ａに示される）のハウジング１４の一部、又は、インジェクタ１０のハウジング１４に取付られた部品として形成してもよい。第１の保持リング４８は、ハウジング７０の中心開口部７１が第１の保持リング４８の中心開口部５０と整列されるように、ハウジング７０の先端部に固定されている。第１の保持リング４８は、半径方向に延在するフランジ７４を有する本体７２を有する。本体７２の少なくとも一部は、基端側に向かってフランジ７４から離れるように延在する。ハウジング７０に取り付けられると、フランジ７４はハウジング７０の上部に係合し、１つ又は複数の締結具用穴７６内に延在する１つ又は複数の締結具（不図示）によって固定される。第１の保持リング４８の本体７２の少なくとも一部は、ハウジング７０の中心開口部７１内に挿入される。他の実施形態においては、第１の保持リング４８は、クリップ又はスナップフィットなどの他の機械的な固定機構によってハウジング７０に固定してもよい。ハウジング７０に取り付けられている際、第１の保持リング４８の中心軸線５９はハウジング７０の中心軸線と同軸である。
【００９０】
続いて図３Ａを参照すると、第１の保持リング４８の中心開口部５０内の側壁５８の内側部分は、シリンジ１２の挿入部分３０が第１の保持リング４８の中心開口部５０内に挿入された際に、シリンジ１２の１つ又は複数の第１の突起３４を収納するように構成された１つ又は複数の第１の凹部６０を有する。１つ又は複数の第１の凹部６０は、側壁５８の内周に等間隔で配置してもよい。このような実施形態では、第１の凹部６０は、第１の保持リング４８の側壁５８の一部によって互いに分離されている。各第１の凹部６０及び第１の凹部６０の半径方向に隣接する一側（左又は右）の第１の保持リング４８の側壁５８は、共にシリンジ１２上のシリンジ保持部材３２を収納する間隙空間６３を画定する。シリンジ保持部材３２が間隙空間６３内に挿入された際、各間隙空間６３の第１の凹部６０がシリンジ保持部材３２の少なくとも１つの第１の突起３４又は第２の突起３７を収納し、第１の保持リング４８の側壁５８がバレル１８の側壁１９の一部を収納するように構成される。例えば、第１の保持リング４８が第１の保持リング４８の周縁に沿って等しく分離した６つの間隙空間６３を有する実施形態において、各間隙空間６３は両側に隣接する間隙空間６３から６０度だけ分離されている。このような実施形態では、各第１の凹部６０は第１の保持リング４８の周縁に沿って３０度にわたって延在してもよく、間隙空間６３の残こりの部分を画定する第１の保持リング４８の側壁５８の部分は周縁に沿って残りの３０度にわたって延在する。他の実施形態において、第１の保持リング４８は１〜５個又は７〜１２個又はそれを超える数の間隙空間６３を含んでもよく、各第１の凹部６０は第１の保持リング４８の側壁５８の周縁に沿って３０度超又は３０度未満にわたって延在してもよい。一部の実施形態では、シリンジ１２上の第１及び第２の突起３４、３７の数は、保持リング４８上の第１の凹部６０の数に一致する。他の実施形態においては、シリンジ１２上の第１及び第２の突起３４、３７の数は、保持リング４８上の第１の凹部６０の数よりも少ない。このような実施形態では、シリンジ１２上の第１及び第２の突起３４、３７は、各第１又は第２の突起３４、３７が保持リング４８上の対応する第１の凹部６０と整列されうるように、シリンジバレル１８の外周縁に沿って間隔をあけて配置されている。他の実施形態においては、２つ以上の第１及び第２の突起３４、３７が少なくとも１つの第１の凹部６０内に収納されるように、シリンジ１２上の第１及び第２の突起３４、３７の数は保持リング４８上の第１の凹部６０の数よりも多い。例えば、第１又は第２の突起３４、３７は突起組を形成して、１箇所又は２箇所以上の突起位置に配置され協働することで、後に説明される第１、第２の突起３４、３７、およびこれらの表面のいずれかに係る機能を発揮する。
【００９１】
１つ又は複数の第１の凹部６０のそれぞれは側壁５８の内部部分へと、中心軸線５９に対し半径方向外側に延在する。各第１の凹部６０の側面は、シリンジ１２の挿入部分３０が第１の保持リング４８内を出入りする際、第１の凹部６０を出入りする第１及び第２の突起３４、３７の動きを案内する移動経路を画定する。各第１の凹部６０は、中心軸線５９の方向に沿って実質的に平行に延在する。一部の実施形態では、技術者の案内又は労力なしに、第１及び第２の突起３４、３７を第１の凹部６０内に挿入でき、且つシリンジポート１６内のシリンジ１２を自己整列させることができるように、各第１の凹部６０は第１及び第２の突起３４、３７を第１の凹部６０との自己整列へと案内する１つ又は複数の案内面６２を有してもよい。案内面６２は、第１の凹部６０の開口部に向かって傾斜して、第１及び第２の突起３４、３７の動きを案内する。このようにして、対応する１つ又は複数の凹部６０に対し当初整列していなくてもよい１つ又は複数の第１及び第２の突起３４、３７は１つ又は複数の案内面６２によって１つ又は複数の凹部６０と自己整列する。
【００９２】
図３Ａの実施形態を引き続き参照すると、ロック機構３５は、内側側壁８０を備えた実質的に環状形状を有する第２の保持リング７８を更に含む。第２の保持リング７８は、第１の保持リング４８の本体７２の基端部とハウジング７０の底部８２との間の、ハウジング７０の中心開口部７１内に配置されている。本明細書中に更に詳述するように、第２の保持リング７８は回転自在に動くことができ、且つ第１の保持リング４８及びハウジング７０に対し軸方向に固定されている。第２の保持リング７８は、１つ又は複数の第２の凹部８８を有する。シリンジ１２の挿入部分３０が第１の保持リング４８の中心開口部５０内に挿入された際、１つ又は複数の第２の凹部８８はシリンジ１２の１つ又は複数の第１及び第２の突起３４、３７を収納するように構成されている。１つ又は複数の第２の凹部８８が第１の保持リング４８上の１つ又は複数の第１の凹部６０と整列されるように、１つ又は複数の第２の凹部８８は第２の保持リング７８の内側側壁８０の周縁に配置されている。例えば、第１の保持リング４８が６つの第１の凹部６０を有する実施形態では、第２の保持リング７８は、また、互いに６０度離れた６つの第２の凹部８８を有してもよい。第２の保持リング４８の回転はハウジング７０内の１つ又は複数のスロット内に収容された１つ又は複数の基端側ピン９８’及び／又は１つ又は複数の弾性部材１０２’によって案内且つ拘束されてもよい。
【００９３】
続いて図３Ａを参照すると、ロック機構３５は、更に、内側側壁１１０を備えた実質的に環状形状を有する第３の保持リング１０８を含んでもよい。第３の保持リング１０８は、第１の保持リング４８と第２の保持リング７８との間の、ハウジング７０の中心開口部７１内に配置されている。本明細書中に更に詳述するように、第３の保持リング１０８は、第１の保持リング４８、第２の保持リング７８及びハウジング７０に対し回転可能であり、これらは全て互いに固定されている。第３の保持リング１０８は、内側側壁１１０の少なくとも一部に配置された１つ又は複数のロック要素１１２を有する。１つ又は複数のロック要素１１２は、内側側壁１１０に対して半径方向外側に延在し、各ロック要素１１２が第３の凹部１１４によって分離されるように交互に配置されている。
【００９４】
１つ又は複数のロック要素１１２は、１つ又は複数の第１の突起３４の第３の表面４２に選択的に係合するように構成された傾斜面１１６を有する。傾斜面１１６は、直線状、セグメント状、曲面状、またはそれらの組み合わせであってもよい。
【００９５】
続いて図３Ａを参照すると、第３の保持リング１０８はハウジング７０内に回転自在に保持されている。少なくとも１つのガイドピン９８が第３の保持リング１０８から延在し、第１及び第２の保持リング４８、７８の一方又は両方に形成された少なくとも１つのガイドピンスロット１０１（不図示）内に収納される。バネなどの少なくとも１つの弾性部材１０２は、その一端が第３の保持リング１０８の少なくとも一部と連結され、他の一端が第１及び第２の保持リング４８、７８の一方又は両方の少なくとも一部と連結されている。一実施形態においては、弾性部材１０２は、一端が少なくとも１つのガイドピン９８に連結され、反対端が少なくとも１つのガイドピンスロット１０１に連結される。少なくとも１つの弾性部材１０２は、第３の保持リング１０８を第１の位置に付勢する。シリンジ１２をシリンジポート１６内に基端側に向けて挿入することで、開口面、即ちこの実施形態において、１つ又は複数の突起３４の第３の表面４２は、１つ又は複数のロック要素１１２に係合して、少なくとも１つの第３の凹部１１４が少なくとも１つの第１の凹部６０及び少なくとも１つの第２の凹部８８と整列される第２の位置に、第３の保持リング１０８を回転させる。本明細書中に記載されるように、第１の突起３４の第２の表面４０’がロック要素１１２の傾斜面１１６を通過すると、第３の保持リング１０８は反対方向に回転して最初の第１の位置に戻り、ベース面３８がロック要素１１２の基端側に保持され、シリンジポート１６内にシリンジ１２をロックする。シリンジ１２がシリンジポート１６内にロックされる際、例えば第１の位置までの第３の保持リング１０８の動きによって、聴覚及び／又は触覚的フィードバックが提供される。
【００９６】
シリンジ１２をシリンジポート１６内に挿入するために、図３Ｄに示すように、シリンジ１２の挿入部分３０を第１の保持リング４８に接触させる。第１及び第２の突起３４、３７が最初に第１の凹部６０に対してずれている場合、挿入部分３０が第１の保持リング４８に対して基端側に移動するにつれて、案内面６５は第１及び第２の突起３４、３７を第１の凹部６０と自己整列するように案内する。シリンジ１２が第１の保持リング４８に対して続いて基端側へ動くことで、１つ又は複数の第１の突起３４の１つ又は複数の第２の表面４０’の少なくとも一部が第３の保持リング１０８の１つ又は複数のロック要素１１２の傾斜面１１６に接触するまで、第１及び第２の突起３４、３７が第１の凹部６０内に案内される。傾斜面１１６は、第１の突起３４の第２の表面４０’に係合するように構成されている。図３Ｄに示すように、シリンジ１２が第１の保持リング４８に対して続いて基端側へ動くことにより、第１の突起３４が少なくとも１つの弾性部材１０２の復元力に反して第３の保持リング１０８を図３Ｄに示される第１の位置から図３Ｅに示される第２の位置に回転させる。１つ又は複数の第１の突起３４は、第３の保持リング１０８を第１の方向、例えば時計回り又は反時計回りに回転させる。シリンジ１２がシリンジポート１６内で基端側に動く間で第３の保持リング１０８が回転して、第１及び第２の突起３４、３７全てのベース面３８が第３の保持リング１０８の底部を通過するまで、１つ又は複数の第１の突起３４及び第２の突起３７は対応する１つ又は複数の第２の凹部８８内に案内される。弾性部材１０２の復元作用によって、第３の保持リング１０８は第１の方向とは反対の第２の方向に回転する。ハウジング７０に対する第３の保持リング１０８の回転によって、ロック要素１１２は１つ又は複数の第１及び第２の突起３４、３７上に配置され、先端側へのシリンジ１２の取り外しが阻止される。
【００９７】
図３Ｆに示すように、シリンジ１２をシリンジポート１６からロック解除するため、シリンジ１２を長手方向軸１５を中心に第１の方向に回転させる。シリンジ１２の回転により、第１の突起３４の第３の表面４２が第２の保持リング７８の第１の傾斜面９０に当接して、第２の保持リング７８をその弾性部材１０２’（図２Ａに示される）の力に反して回転させる。例えば約３０度回転すると、第２の保持リング７８上のガイドピン９８が第３の保持リング１０８に係合して、第３の保持リング１０８も第１の方向に回転される。更に回転すると、例えば更に約３０度回転すると、図３Ｇに示すように、第１及び第２の突起３４、３７が第１の保持リング４８の第１の凹部６０と整列し、第３の保持リング１０８のロック構造１１２が第１の凹部６０の基端側のスペースを通過するように移動して、少なくとも１つの第１の凹部６０が少なくとも１つの第３の凹部１１４と整列される。図３Ｈに示すように、この際、第１の傾斜面９０に対する第１の突起３４の第３の表面４２の回転によって生成される先端側への力成分により、シリンジ１２が先端側に動いてシリンジポート１６から排出される。シリンジ１２がシリンジポート１６から排出されると、弾性部材１０２及び１０２’の復元力により第３の保持リング１０８及び第２の保持リング７８が第２の方向に回転されそれぞれの第１の位置に戻り、次のシリンジ１２の挿入に準備する。
【００９８】
ロック機構３５の動作を更に説明すると、係合すれば協働してシリンジ１２をシリンジポート１６内に保持するシリンジ１２及びシリンジポート１６の保持面は、シリンジ１２の１つ又は複数のベース面３８及び頂面１０６と、シリンジポート１６のロック要素１１２の１つ又は複数の表面である。取付けのために協働してシリンジ１２とシリンジポート１６を自己整列又は自動的に回転整列するシリンジ１２及びシリンジポート１６の案内面は、シリンジ１２の１つ又は複数の先端４４及び／又は第３の表面４２と、シリンジポート１６の１つ又は複数の案内面６５である。シリンジ１２を取り付けるために協働してシリンジポート１６を開くシリンジ１２及びシリンジポート１６の開口面は、シリンジ１２の１つ又は複数の第３の表面４２と、シリンジポート１６の傾斜面１１６である。協働してシリンジポート１６からシリンジ１２を解除又は取り外すシリンジ１２及びシリンジポート１６の分離面は、シリンジ１２の第３の表面４２と、シリンジポート１６の傾斜面９０である。協働してシリンジポート１６からシリンジ１２を排出する先端側への力を生じるシリンジ１２及びシリンジポート１６の排出面は、シリンジ１２の第３の表面４２と、シリンジポート１６の傾斜面９０である。ルアーコネクタがシリンジ１２にねじ止めされる際に協働して回転を防止するシリンジ１２及びシリンジポート１６の回転停止面は、シリンジ１２の１つ又は複数の第１の表面４０及び／又は第２の表面４０’と、シリンジポート１６の１つ又は複数の第２の凹部８８であり、シリンジ１２の１つ又は複数のベース面３８とシリンジポート１６の１つ又は複数のロック要素１１２との間の任意の摩擦力も考えられる。シリンジをシリンジポート１６内に嵌合させるシリンジ逃げ面は、第１の保持リング４８の側壁５８を通過する、突起３４と半径方向に隣接する一側（左又は右）に位置するバレル１８の外面２１である。
【００９９】
図３Ａ〜３Ｈのシリンジポート１６の実施形態では、第１の保持リング４８の側壁５８に窪んだ第１の凹部６０が設けられる場合を記載している。たが別の実施形態として、側壁５８が第１の保持リング４８の第１の凹部６０によって画定される円筒状の表面から突出してもよい。これら２つの構成は、いずれも１つの実施形態に記載または適用できる。
【０１００】
図２Ａ〜３Ｇは少なくとも１つのシリンジ保持部材３２のいくつかの非限定的な実施形態を示すが、種々の他の形状も考えられる。例えば、少なくとも１つのシリンジ保持部材３２の１つ又は複数の第１の突起３４及び／又は第２の突起３７は、略円形、正方形、矩形、五角形又は任意の他の多角形形状を有してもよい。シリンジポート１６に対するシリンジ１２の自己配向を補助するために、又は、シリンジ１２をシリンジポート１６に解除可能にロックするために、少なくとも１つのシリンジ保持部材３２に種々の構成を設けてもよい。各実施形態において、少なくとも１つのシリンジ保持部材３２は、インジェクタ１０のシリンジポート１６内の対応するロック機構と可逆的なロック係合を形成するように構成され、シリンジ１２をシリンジポート１６内に保持する。少なくとも１つのシリンジ保持部材３２の１つ又は複数の突起３４の種々の他の形状について、以下、図４Ａ〜５Ｚ及び図１０Ａ〜１０Ｈを参照しながら説明する。
【０１０１】
図４Ａ〜４Ｌは、少なくとも１つのシリンジ１２の基端部２０、及びシリンジ１２の基端部２０を収納するための対応する少なくとも１つのシリンジポート１６の種々の実施形態を示す円筒面投影図である。図４Ａを参照すると、シリンジ１２をシリンジポート１６の先端部に挿入するために、図２Ａに示されているシリンジ１２の基端部２０の一実施形態は、破線で示すように、回転して整列される。この観点から、自己整列される際、突起３４と突起３４の間に位置するバレル１８の外面２１とを含むシリンジ保持部材３２は、シリンジポート１６の間隙空間６３内に収納され、シリンジ１２がシリンジポート１６に挿入できるようにする。同様に、シリンジバレル１８の外面２１は、第１の保持リング４８の側壁５８を通過する。これら要素間の関係を測定又は表示する１つの方法として、シリンジ１２の外側とシリンジポート１６の内側に対する角度を測定又は表示する。例えば、６つ折り対称のシリンジ保持部材３２の実施形態で、各突起３４は公称角度３０度に対し、各第１の凹部６０も同じく３０度に対し、無論、突起３４が第１の凹部６０内で摺動できるような隙間及び公差を許容する。１つ又は複数のロックタブ９６が有限な角度範囲に亘って延在するため、突起３４のベース面３８全体が保持面６４の下に完全に配置できない。例えば、突起３４及び第１の凹部６０の両方が３０度であり、ロックタブ９６が４度の角度を占める場合、突起３４のベース面３８はロックタブ９６と２６度分だけの表面に亘って重なる。重なりを最大化するために、突起３４を２８度まで減らし、且つロックタブ９６が占める４度を含む凹部６０の幅を３２度まで増加させる。これで、挿入する時、突起３４の幅全体がロックタブ９６に隣接する保持面６４の下に配置される。各突起３４は、第１の保持リング４８の第１の凹部６０内に収納されるように構成されている。各突起３４の第２の表面４２は、案内面６５に沿って自己案内され第１の凹部６０と整列され、突起３４が第１の凹部６０内に挿入できるようにする。図４Ｋを参照すると、第２の保持リング７８は第１のロック要素８４及び第２のロック要素８６を有し、前記第１のロック要素８４及び第２のロック要素８６は、実質的に矩形であり、且つ１つの上部角部に凹部９１を備えている。凹部９１は、突起３４がシリンジポート１６内に挿入される際、突起３４の第２の表面４２を第２の凹部８８内に案内するように構成されている。
【０１０２】
図４Ｂは、突起３４の数がシリンジポート１６の凹部６０の数よりも少ない別の実施形態を示す。１つ又は複数の突起３４が欠けている場合、この欠けた領域はもっと広いシリンジ１２の外面２１の領域によって占められる。一部の実施形態で、少なくとも２つの突起３４が、お互いに隣接したり、バレル１８の周りに沿って間隔をあけたり、又はバレル１８の対向側に位置するように設けられ、突起３４うちの１つが対応するロックタブ９６に対して回転して、シリンジ１２がシリンジポート１６内に適切に係合するようにする。各突起３４は、第１の保持リング４８の第１の凹部６０内に収納されるように構成される。各突起３４の第２の表面４２は、案内面６５に沿って案内されて第１の凹部６０と整列され、突起３４が第１の凹部６０内に挿入できるようにする。
【０１０３】
図４Ｃは、１つ又は複数のロックタブ９６が少なくとも１つの突起３４のベース面３８に形成されている別の実施形態を示す。他の実施形態において、１つ又は複数のロックタブ９６は突起３４と別に形成されてもよい。他の実施形態において、ロックタブ９６は、シリンジ１２の少なくとも１つの突起３４及びシリンジポート１６の少なくとも１つの側壁５８両方に設けられてもよい。
【０１０４】
図４Ｄは、図３Ａ〜３Ｅに示されているシリンジ１２及びシリンジポート１６の一実施形態の円筒面投影図を示す。図４Ｅは、さらに、第１及び第２の突起３４、３７のうち全部ではなく、一部が除去された実施形態を示す。図４Ｊで、第３の保持リング１０８のロック要素１１２は、図４Ｄ〜４Ｅに示されている傾斜面１１６を有しない。その代わりに、ロック要素１１２と側壁５８との間に、第１の突起３４の先端４４を挿入するスペースＳＳが設けられている。上記いずれかの実施形態において、少なくとも１つの第１の突起３４が設けられている。
【０１０５】
図４Ｆは、８回対称を有する別の実施形態を示す。対称程度が高いほど、着脱に必要なシリンジ１２の回転角度が小さくなる利点がある。例えば、８回対称では、着脱に要するシリンジ１２の回転は、２２．５度以下になる。また、付加された突起は、保持力又は拘束力をシリンジバレル１８の周囲により均一に分散させる。他の実施形態において、シリンジ１２とシリンジポート１６との間の連結部は、８回対称、１０回対称、１２回対称、１６回対称又は任意の他の対称を有してもよい。
【０１０６】
図４Ｇを参照すると、突起３４は、先端４４に向かって軸方向にテーパが付いた一対の第２の表面４２を有する略三角形形状を有する。第２の表面４２は第１の保持リング４８の案内面６５と係合して、突起３４を第１の凹部６０内に自己案内するように構成されている。第２の保持リング７８は、対応する形状の第２の凹部８８を有して、突起３４を収納する。少なくとも一部の第１のロック要素８４は、シリンジ１２が基端側へシリンジポート１６内に挿入される際に突起３４を第２の凹部８８に向かって案内する斜面８９を有する。図４Ｈで、突起３４は、長手方向軸１５（図３Ａに示される）に大体平行する少なくとも１つの表面を備えた三角形形状になる。同様に、第２の保持リング７８は、対応する形状の第２の凹部８８を有して、突起３４を収納する。図４Ｉで、突起３４は一体的なロックタブ９６を有する。
【０１０７】
図５Ａ〜５Ｚは、突起３４の種々の実施形態を示す。図５Ａは、図２Ａ〜２Ｄを参照しながら説明した構成を有する例示的な突起３４を示し、図５Ｂは、突起３４の輪郭を示し、且つ破線で突起３４の各表面を示している。
【０１０８】
図５Ｃは、中心部６１２が中空であり、外周の表面によって画定される突起３４ｃを例示する。一部の実施形態で、中心部６１２はシリンジバレル１８（図２Ａに示される）の厚みに一致する厚みを有する。他の実施形態において、中心部６１２はシリンジバレル１８（図２Ａに示される）よりも厚い又は薄い厚みを有する。一部の実施形態で、中空の中心部６１２はシリンジバレル１８の側壁厚みの一部だけ延在する。外周の表面は、連結されてもよく、お互いに１つ又は複数の間隙を有してもよい。中空の中心部６１２を有すると、成形中に材料を冷却する際、プラスチック材料のひけを低減又は排除できる利点がある。図５Ｄを参照すると、１つ又は複数の補強部材６１４が中心部６１２内に設けられている。１つ又は複数の補強部材６１４は、突起３４Ｄの外周の表面に連結されてもよく、突起３４Ｄの外周の表面から分離されてもよい。保持力を大きくする必要があり、突起３４Ｄの表面に大きな応カがかかる場合、付加材料又は補強部材、例えば、１つ又は複数の補強部材６１４の存在によって、突起３４Ｄがそのように大きい力でも動作できる。図５Ｅは、複数の空孔６１２’’が設けられた突起３４Ｅを示す。一部の実施形態で、空孔６１２’’は大体円形形状を有するが、種々の他の形状にしてもよい。
【０１０９】
図５Ｆは、第２の表面４２が実際の表面ではなく、点６２０と点６２２との間で延在する一点鎖線によって画定される仮想表面である突起３４Ｆを示す。これらの仮想表面は、図２Ａ及び図３Ａに示されている突起３４の第１及び第２の表面４０、４２のように、軸方向にテーパが付けられている。
【０１１０】
一実施形態によれば、突起３４は、複数の突起の組み合わせであり、前記複数の突起が共に突起３４の表面を形成し、前記表面は実際の表面及び／又は仮想表面の組み合わせである。図５Ｇは、突起３４Ｇが複数の突起３４Ｇ−１〜３４Ｇ−５の組み合わせである一実施形態を示す。図５Ｇで、破線で示すように、突起３４Ｇの機能面は２つ以上の突起３４Ｇ−１〜３４Ｇ−５が協同して画定する。第２の表面４２は、実際の表面ではなく、３４Ｇ−１と３４Ｇ−２との間及び３４Ｇ−２と３４Ｇ−５との間で延在する一点鎖線によって画定された仮想表面である。これら仮想表面は、図２Ａに示された突起３４の第１及び第２の表面４０、４２と同じように、軸方向にテーパが付けられている。
【０１１１】
図５Ｈは、一対の突起３４Ｈ−１及び３４Ｈ−４を有する突起３４Ｈを示す。図５Ｈの実施形態では、ベース面３８及び第１の表面４０が突起３４Ｈ−１に形成され、先端４４が突起３４Ｈ−２の表面である。第２の表面４２は、２つの突起３４Ｈ−１と３４Ｈ−２との間に形成された仮想表面である。これら仮想表面は、図２Ａに示された突起３４の第１及び第２の表面４０、４２と同じように軸方向でテーパが付けられている。
【０１１２】
図５Ｉは、４つの突起３４Ｉ−１〜３４Ｉ−４を有する突起３４Ｉを示す。図５Ｉの実施形態で、ベース面３８は突起３４Ｉ−１上に形成され、先端４４は突起３４Ｉ−３の表面である。第１の表面４０は、３４Ｉ−１と３４Ｉ−２との間及び３４Ｉ−１と３４Ｉ−４との間に形成された仮想表面である。第２の表面４２は３４Ｉ−２と３４Ｉ−３との間及び３４Ｉ−３と３４Ｉ−４との間に形成された仮想表面である。これら仮想表面は、図２Ａに示された突起３４の第１及び第２の表面４０、４２と同じように軸方向にテーパが付けられている。
【０１１３】
図５Ｊは、Ｔ字状の中心突起３４Ｊ−１と、一対の側方突起３４Ｊ−２及び３４Ｊ−３を有する突起３４Ｊを示す。図５Ｊの実施形態で、ベース面３８は突起３４Ｊ−１の頂面に形成され、先端４４は突起３４Ｊ−１の底面にある。第１の表面４０は３４Ｊ−１の頂部と３４Ｊ−２との間及び３４Ｊ−１の頂部と３４Ｊ−３との間に形成された仮想表面である。第２の表面４２は３４Ｊ−１の底部と３４Ｊ−２との間及び３４Ｊ−１の底部と３４Ｊ−３との間に形成された仮想表面である。図５Ｗは、図５Ｊに示された一対の側方突起がないＴ字状の突起３４Ｗを示す。図５Ｗで、第２の表面４２は突起３４Ｗの頂部と底部の先端４４との間に形成された仮想表面である。これら仮想表面は、図２Ａに示された突起３４の第１及び第２の表面４０、４２と同じように軸方向にテーパが付けられている。
【０１１４】
図５Ｋは、上部突起３４Ｋ−１及び下部突起３４Ｋ−２を有する突起３４Ｋを示す。図５Ｋの実施形態においては、ベース面３８は突起３４Ｋ−１の頂面に形成され、先端４４は突起３４Ｋ−２からなる。一対の第１の表面４０が３４Ｋ−１の側方部分に沿って延在する。第２の表面４２は第１の表面４０の末端部と３４Ｋ−２との間に形成された仮想表面である。これら仮想表面は、図２Ａに示される突起３４の第１及び第２の表面４０、４２と同じように軸方向にテーパが付けられている。
【０１１５】
図５Ｌは、図５Ｃにおける突起３４Ｃの形状と類似する形状を有する突起３４Ｌを示す。突起３４Ｌは、更に、ベース面３８の一部から延在する一体的なロックタブ９６ａを有する。
【０１１６】
図５Ｍは、実質的に直線であるベース面３８と、湾曲した第１及び第２の表面４０、４２とを有する突起３４Ｍを示す。第１及び第２の表面４０、４２は、湾曲し実質的に楕円形態を有してもよい。第１及び第２の表面４０、４２は、軸方向で先端４４に向いて曲線形態のテーパが付けられている。図５Ｎは、図５Ｍに示された突起３４Ｍの形状と類似する形状を有する突起３４Ｎを示す。突起３４Ｎは、上部突起３４Ｎ−１及び下部突起３４Ｎ−２から形成されている。上部突起３４Ｎ−１は実質的に直線であるベース面３８を画定し、下部突起３４Ｎ−２は間隙を介して上部突起３４Ｎ−１から分離され、且つ、第２の表面４２に沿って内側に向けて軸方向にテーパが付けられた略湾曲形状を有する。
【０１１７】
図５Ｏ〜５Ｐは、図５Ｃにおける突起３４Ｃの形状と類似する形状を有する突起３４Ｏ、３４Ｐを示す。突起３４Ｏ、３４Ｐで、第１又は第２の表面４０、４２のうちの少なくとも１つが除去され、突起３４Ｏ、３４Ｐが不連続な輪郭を有し、少なくとも１つの仮想の第２の表面４２Ｏが先端４４と第１の表面４０との間で延在する。この仮想の第２の表面４２Ｏは、図２Ａに示された突起３４の第１及び第２の表面４０、４２と同じように軸方向にテーパが付けられている。
【０１１８】
図５Ｑは、３つの円形突起３４Ｑ−１〜３４Ｑ−３から形成された突起３４Ｑを示す。円形突起３４Ｑ−１〜３４Ｑ−３は、それらの間で仮想表面が画定されるように配置されている。特に、一対の第２の仮想表面は、一対の上部円形突起３４Ｑ−２及び３４Ｑ−３と、下部円形突起３４Ｑ−１とによって画定される。突起３４Ｑ−１〜３４Ｑ−３は、楕円形、正方形、三角形、偏菱形、又は他の多角形などの他の任意の形状を有してもよい。各仮想の第２の表面４２は、図２Ａに示された突起３４の第１及び第２の表面４０、４２と同じように軸方向でテーパが付けられている。図５Ｒは、２つの円形突起３４Ｒ−１〜３４Ｒ−２から形成され、それらの間で１つの仮想の第２の表面４２が画定される形状を有する突起３４Ｒを示す。突起３４Ｒ−１〜３４Ｒ−２は、楕円形、正方形、三角形、偏菱形、又は他の多角形などの他の任意の形状を有してもよい。図５Ｙは、３つの円形突起３４Ｙ−１〜３４Ｙ−３から形成された突起３４Ｙを示す。上部の１対の突起３４Ｙ−１及び３４Ｙ−２は、図５Ｑにおける突起３４Ｑよりも、軸方向で下部突起３４Ｙ−３に接近している。図５Ｚでは、突起３４Ｚの下部突起３４Ｚ−３が円形でなく、矩形になって示される。
【０１１９】
図５Ｓ（１）〜５Ｓ（３）を参照すると、バレル１８の外面２１によって分離された別個の突起３４に一対の突起３４ＳＡ及び３４ＳＢが設けられている。第１の突起３４ＳＡには、１つの突起３４Ｓ−１が上部角部、例えば、仮想のベース面３８が仮想の第１の表面４０に接する突起３４の輪郭の右上角に設けられる。第１の突起３４ＳＡは、シリンジ１２がシリンジポート１６内に挿入されると（円筒面投影図５Ｓ（３）に示すように）、ロック機構３５の第１の保持リング４８に設けられたロックタブ９６に係合するように構成されている。第２の突起３４ＳＢは、先端４４に位置する１つの突起３４Ｓ−２として形成されている。第２の突起３４ＳＢは、第１の保持リング４８上の案内面６５に係合することによって、シリンジ１２をシリンジポート１６内で自己配向させて案内するように構成されている。突起３４Ｓ−１及び３４Ｓ−２は、円形、楕円形、三角形、正方形、矩形、又は他の多角形の形状を有してもよい。
【０１２０】
図５Ｔを参照すると、突起３４Ｔはベース面３８から先端４４まで軸方向にテーパが付けられた矩形の第２の表面４２として形成される。この第２の表面４２は、図２Ａに示された突起３４の第１及び第２の表面４０、４２と同じように軸方向にテーパが付けられている。
【０１２１】
図５Ｕを参照すると、突起３４Ｕは、テーパ付きの第２の表面４２の方向に沿って整列した２つの面を有する正方形突起として成形されている。図５Ｖは、テーパ付きの第２の表面４２の方向に沿って整列した２つの面を有する三角形の突起３４Ｖを示す。他の実施形態において、突起３４Ｖは、ベース面３８を画定する少なくとも１つの第２の突起を含んでもよい。図５Ｔ〜５Ｖの第２の表面４２には、図２Ａに示される突起３４の第１及び第２の表面４０、４２と同じように軸方向にテーパが付けられている。
【０１２２】
図５Ｘは、垂直軸線に対して水平に間隔をあけて配置された複数の平行部材を有する突起３４Ｘを示す。少なくとも２つの隣接する平行部材の間に仮想の第２の表面４２が画定される。図５Ｘの第２の表面４２には、図２Ａに示される突起３４の第１及び第２の表面４０、４２と同じように軸方向にテーパが付けられている。シリンジ１２の一部の実施形態は、少なくとも１つのシリンジ保持部材３２に、突起３４Ａ〜３４Ｘ及び／又は１０Ａ〜１０Ｈのいずれかの組み合わせを様々に含んでもよい。
【０１２３】
図６Ａを参照すると、取付部材を含む継手１３０が、シリンジバレル１８に対して着脱
可能に設けられている。継手１３０は、例えば、前述した少なくとも１つのシリンジ保持部材３２を有するシリンジ１２を収納して、シリンジ１２を、前記少なくとも１つのシリンジ保持部材３２を収納できないロック機構を備えたシリンジポートを有する流体インジェクタに接続するように構成される。例えば、継手１３０は、特許文献３又は特許文献２に記載されている流体インジェクタ、又は他の任意の流体インジェクタにシリンジ１２を接続できる。継手１３０はインジェクタに解除可能に連結できる。また、継手１３０は、流体インジェクタのロック機構内に挿入され保持されてもよい。継手１３０は、また、インジェクタへの取り付けとは係らずに、シリンジ１２に解除可能に連結または取り付けられてもよい。
【０１２４】
図６Ａを参照すると、継手１３０は、第１部分１３２と第２部分１３４を備える。第１部分１３２は、前記実施形態に係る少なくとも１つのシリンジ保持部材３２を有するシリンジ１２を収納する。第２部分１３４は、前記実施形態に係る少なくとも１つのシリンジ保持部材３２を有するシリンジ１２を収納できないシリンジポートを有するインジェクタ内に装着される。第１部分１３２は、第２部分１３４と直接に連結され、一体的に形成される。また、第１部分１３２が第２部分１３４に解除可能に連結され、種々の第２部分（図７Ａ〜７Ｂに示される）が第１部分１３２に適用できるようにてもよい。続いて図６Ａを参照すると、第１部分１３２は、図２Ａ〜２Ｄに基づいて説明されたロック機構３５を有する。また、第１部分１３２は図３Ａ〜３Ｈに基づいて説明されたロック機構３５を有してもよい。種々の実施形態において、継手１３０の第１部分１３２は、対応する少なくとも１つのシリンジ保持部材３２を有する前述したシリンジ１２を解除可能に収納するように構成されている。図７Ａ〜７Ｂを参照すると、継手１３０の第２部分１３４は、連結インターフェースを有する。当該連結インターフェースは、シリンジ保持部材３２を有する前記シリンジ１２を収納できないインジェクタと接続するように構成されている。図７Ａは、特許文献３に記載されているインジェクタの係合機構に適用される第２部分１３４を示し、図７Ｂは、特許文献２に記載されているインジェクタの係合機構に適用される第２部分１３４を示す。無論、第２部分１３４は、本明細書で記載されていない種々の他のインジェクタとも接続できる。また、継手１３０は、インジェクタのロック機構に対して継手１３０を係脱する分離機構を有してもよい。
【０１２５】
図６Ｂを参照すると、アダプタ２３０は、１つ以上のシリンジ保持部材３２を有しないシリンジＳを収納するように構成され、前記実施形態のいずれかに記載されたロック機構３５を有するインジェクタに脱離可能に連結される１つ又は複数の。種々の実施形態において、アダプタ２３０は、シリンジＳに連結され、次にインジェクタへ取り付けられるように構成される。例えば、アダプタ２３０は、互換性のないシリンジＳに解除可能に又は永久的に連結される。このようなアダプタ２３０は、前述した少なくとも１つの係合部材３２を有する連結インターフェースを有する。アダプタ２３０は、前記ロック機構３５を有するインジェクタと解除可能に連結されるように構成される。アダプタ２３０とシリンジＳとをインジェクタへ連結する前に連結してもよく、シリンジＳがアダプタ２３０に連結される前にアダプタ２３０がインジェクタに連結されてもよい。使用後、アダプタ２３０及びシリンジＳは、インジェクタから取り外される。この際、アダプタ２３０は、シリンジＳと共に廃棄されてもよく、使用済みのシリンジＳから取り外され、次のシリンジＳに使用されるように保留されてもよい。
【０１２６】
一実施形態において、アダプタ２３０の第１部分２３２は、前述したいずれかのロック機構３５に適用できないシリンジＳを永久的に又は解除可能に収納するように構成される。シリンジＳは、特許文献３又は特許文献２に記載されたシリンジ、或は他の任意タイプのシリンジであってもよい。アダプタ２３０によって、互換性のないシリンジＳは前述したロック機構３５に係合且つ保持できる。また、アダプタ２３０は、アダプタ２３０がインジェクタ１０のロック機構３５に連結されている際、シリンジＳを係脱する分離機構を有してもよい。第１部分２３２は、他のシリンジＳを把持又は保持するクレードル又はスリーブであってもよい。当該他のシリンジＳは、例えば、手持型シリンジ、又は、他の保持機構や構造を有し且つロック機構３５によって保持できるシリンジであってもよい。アダプタ２３０の第２部分２３４は、前述した実施形態のいずれかに記載された少なくとも１つのシリンジ保持部材３２を有する。前記少なくとも１つのシリンジ保持部材３２は、図２Ａ〜５Ｚ及び図１０Ａ〜１０Ｈに基づいて説明された１つ又は複数の突起３４を有する。アダプタ２３０の第２部分２３４は、前述したロック機構３５を有するインジェクタと解除可能に連結できるように構成される。これで、種々の互換性のないシリンジＳが前述したロック機構３５を有するインジェクタに適用できる。また、アダプタ２３０は、高圧の注入処置で用いられる圧力ジャケット（不図示）をインジェクタに連結するように構成されてもよい。例えば、圧力ジャケット付きのアダプタ２３０は、インジェクタと解除可能に連結できるように構成される。このようなアダプタ２３０は、前述した実施形態のいずれかによる少なくとも１つのシリンジ保持部材３２を有する連結インターフェース備えてもよく、または替わりに、互換性のないシリンジをインジェクタに適用できる連結インターフェースを備えてもよい。アダプタ２３０は、前述したロック機構３５を有するインジェクタと解除可能に、永久的に、又は半永久的に連結でき、異なる保持機構を有するシリンジＳをインジェクタに適用できるように構成されてもよい。アダプタ２３０がインジェクタに連結されると、シリンジＳはアダプタ２３０又は圧力ジャケットに装着され、その基端部又は先端部をアダプタ２３０又は圧力ジャケットに保持させる。
【０１２７】
また、アダプタ２３０は、前述したインジェクタ１０への次の装着に必要な構造を部分的に有するシリンジ１２に連結するように構成してもよい。例えば、図４Ｌを参照すると、アダプタ３２０は、表面４２及び４４を備えてシリンジと結合されるリング３００であり、当該シリンジは、ロック機構３５内に保持されるように、少なくともベース面３８を備えた１つ又は複数の突起を有する。この場合、リング３００は、シリンジポート１６内に挿入され、次のシリンジに用いられるようにシリンジポート１６内に留まる。アダプタ３２０は、その自体だけでシリンジポート１６と完全に結合又は機能を発揮できないシリンジがロック機構３５と結合して少なくとも保持機能を発揮できるようにする。図４Ｍに示された別の実施形態で、アダプタ３２０は、シリンジポート１６から先端側に延在する突出物３４０を備えたリングを有する。これら突出物３４０を組み合わせたり連結したりして、例えば、シリンジポート１６から半径方向で外側に延在するリングを形成できる。アダプタ３２０を回転することで、シリンジ１２及びアダプタ３２０は、シリンジポート１６から解放される。同様に、挿入する時、アダプタ３２０は基端側に押され、シリンジ１２と係合する。
【０１２８】
図８Ａは、シリンジ１２をシリンジポート１６から排出する時に存在する力の一般化された自由体図を示す。突起３４の法線力Ｎ１及び摩擦力Ｆ１が第１のロック要素８４に抗して作用し、突起３４の法線力Ｎ２及び摩擦力Ｆ２が側壁５８の保持面に作用する。さらに、シリンジ１２を回転させるために使用者によって付与される力Ｔ、およびドリップフランジ又は他の手段により付与されるシリンジ１２を先端側に付勢する任意の力Ｄも、側壁５８の保持面に作用する。シリンジ１２はポリエチレンテレフタレート（ＰＥＴ）からなり、第１のロック要素８４がＤＥＬＲＩＮＴＭ（商標）などのポリオキシメチレン（ＰＯＭ）からなってもよい。ＤＥＬＲＩＮＴＭ表面に対するＤＥＬＲＩＮＴＭの摩擦係数μは約０．４である。この値によると、排出が可能な角度Ａの実際限界は、シリンジ１２の長手方向軸１５の方向に対して約２０度である。したがって、２０度を超える角度で、滑りが生じ、突起物を通過する突起３４の十分な動きにより、シリンジ１２は排出され、シリンジポートで先端側に出す（図８Ｂ）。図８Ｃは、角度Ａが増加するにつれて、シリンジ１２を回転させる力Ｔと弾性部材１０２の復元力Ｓとの比が増加することを示す。この比は、低い角度に対しては、角度が増加するにつれて実質的に一定であるが、その後、より高い角度に対しては、大幅に増加する。一例において、少なくとも３０度及び約６０度未満の角度が用いられる。
【０１２９】
図９Ａは、シリンジポート１６内へシリンジ１２を挿入する時にインターフェースに作用する力の一般化された自由体図を示す。使用者が付与する横力Ｐにより、１つ又は複数の突起３４が１つ又は複数の第１のロック要素８４と相互作用する。回転時、１つ又は複数の突起３４が側壁５８と摺接する。加えて、第２の保持リング（不図示）がハウジングの底面８２上を摺動する。この一般化された相互作用に対して静的力分析を行うと、図９Ｂに示すように、表面間の様々な摩擦係数μに対する２つの相互作用する表面の角度Ａの関数として、挿入力の推定値が得られる。
【０１３０】
図１０Ａ〜１０Ｈは、前述したロック機構３５の種々の実施形態に適用する突起３４の種々の実施形態を示す。図１０Ａは、図３Ａ〜３Ｈに基づいて説明した構成を有する例示の突起３４ＡＡを示し、図１０Ｂは、破線で突起３４の各表面を示す突起３４ＢＢの輪郭を示す。図１０Ｃは、中心部６１２が中空であり、突起３４ＣＣが外周の表面によって画定される突起３４ＣＣを例示する。中心部６１２は、シリンジバレル１８（図３Ａに示される）の厚みと一致する厚みを有する。また、中心部６１２は、シリンジバレル１８（図３Ａに示される）の厚みよりも厚い又は薄い厚みを有してもよい。外周の表面は、連結されてもよく、お互いに１つ又は複数の間隙を有してもよい。中空の中心部６１２を有すると、成形中に材料を冷却する際、プラスチック材料のひけを低減又は排除できる利点がある。図１０Ｄを参照すると、中心部６１２内に１つ以上の補強部材６１４が設けられ、上記のように、２つの周辺間隙を有する１つ又は複数の。１つ又は複数の補強部材６１４は、突起３４ＤＤの外周部表面に連結されてもよく、突起３４ＤＤの外周部表面から分離されてもよい。保持力を大きくする必要があり、突起３４ＤＤの表面に大きな応カがかかる場合、付加材料又は補強部材、例えば、１つ又は複数の補強部材６１４の存在によって、突起３４ＥＥがそのような大きい力でも動作できる。図１０Ｅは、例えば、表面４０、先端４４及びベース面３８を画定する１つの垂直又は長手方向部材を有する突起３４ＥＥを示す。図１０Ｆは、例えば、表面４０、先端４４及びベース面３８を画定する２つの略丸形突起を有する突起３４ＦＦを示す。図１０Ｇは、１つの丸形突起を有する突起３４ＧＧを示す。突起３４ＧＧの底部は先端４４を画定し、頂部はベース面３８を画定する。図１０Ｈは、ベース面３８を形成する平坦な頂面及びテーパ状の底面を有する３つの略垂直且つ平行な突起から組み立てられた突起３４ＨＨを示す。なお、図５及び図１０に示される突起３４の１つ又は複数の変形形態又は他の変形形態は本願の範囲内にあり、本願の範囲内のシリンジポート１６の１つ又は複数の変形形態と共に動作できる。
【０１３１】
図１Ｂを参照すると、シリンジ１２からインジェクタ１０（図１Ａに示される）に情報を送信するシステムが設けられている。一実施形態において、シリンジ１２には、例えば、１つ以上のシリンジ保持部材３２に１つ又は複数のコード化デバイス４９を設けられている。また、１つ又は複数のコード化デバイス４９は、外面２１（図１Ｂに示される）、内面２３（図１Ｂに示される）、シリンジ１２の基端部２０の側壁１９（図１Ｂに示される）の少なくとも一部、又はプランジャ２６に設けられてもよい。コード化デバイス４９は、バーコードなどの光学的に読み取られる部材であってもよく、また、ＲＦＩＤタグや近接場通信デバイスや他の任意の適切なコード化デバイスであってもよい。シリンジ１２及び／又はプランジャ２６の内周縁又は外周縁に複数のコード化デバイス４９を配置してもよい。シリンジポート１６に、コード化デバイス４９を読み取る少なくとも１つのセンサ５１（図２Ａに示される）を設けてもよい。また、少なくとも１つの第２の凹部８８に少なくとも１つのセンサ５１を設けてもよい。コード化デバイス４９でコード化される情報の例として、シリンジ１２の寸法、容積、内容物（予備装填されたシリンジの場合）、ロット番号や日付やツールキャビティ番号のような製造情報、推奨造影剤流量及び圧力、及び／又は装填／注入順序などが挙げられるが、これらに限らない。一実施形態において、１つ又は複数のシリンジ保持部材３２の有無又は形状がコード化デバイスとしての機能を果す。例えば、１つのシリンジ保持部材３２が欠けた状態が第１のコードを示す。２つ以上の隣接するシリンジ保持部材３２が欠けた状態が第２のコードを示す。２つ以上の隣接しないシリンジ保持部材３２が欠けた状態が第３のコードを示す。シリンジ保持部材３２の有無や異なる形状のシリンジ保持部材３２の種々の他の組み合わせは、種々の他のコードを示してもよい。個々のシリンジ保持部材３２の有無は、機械的スイッチ、電気材料センサ、光学的方法、視認、又は感知技術分野における他の公知手段によってインジェクタで検知される。このシリンジコード化情報はインジェクタ制御部に伝達され、オペレータに伝達されると共に、後でインジェクタを適切にプログラミング及び制御するために使用される。
【０１３２】
また、図２Ａ及び図３Ａに示されているロック機構３５のハウジング７０のようなインジェクタ１０（図１Ａに示される）の少なくとも一部に、シリンジ１２の基端部２０の内部容積２５の少なくとも一部に突出する内部支持リング（不図示）を有してもよい。このような支持リングは、内部容積２５の少なくとも一部に脱離可能に延長できる。シリンジ１２がロック機構３５内に挿入される際、支持リングは、シリンジ１２の１つ以上のシリンジ保持部材３２及び／又は内側側壁２３（図１Ｂに示される）の少なくとも一部に半径方向及び軸方向で支持を与える。図２Ａに示すようなシリンジポート１６に少なくとも１つのセンサ５１が設けられる実施形態において、支持リングは、シリンジ１２上の少なくとも１つのコード化デバイス４９の有無を検知するための対比表面を提供する。例えば、支持リングは、シリンジ１２の半透明又は透明側壁１９に対して対比になる不透明表面を提供して、少なくとも１つのコード化デバイス４９の検知を容易にする。
【０１３３】
本明細書では、例示のために現在最も実用的且つ好ましい実施形態に基づいて具体的な説明をしたが、このような具体的な説明は、上記のように、単なる例示のものであり、本願は開示される実施形態に限定されず、逆に、変更形態及び均等な形態も包含できると理解すべきである。例えば、本開示は、可能な範囲で、任意の実施形態における１つ又は複数の特徴と他の任意の実施形態における１つ又は複数の特徴とを組み合わせてもよいと理解すべきである。
【符号の説明】
【０１３４】
１０  インジェクタ
１１  流体確認部材
１２  シリンジ
１４  ハウジング
１５  軸線
１６  シリンジポート
１７  流体流路セット
１８  シリンジバレル
１９  側壁
２０  基端部
２１  外面
２２  ノズル
２３  内面
２４  先端部
２５  内部容積
２６  プランジャ
２８  剛体内部部材
２９  エラストマー製カバー
３０  挿入部分
３２  シリンジ保持部材
３４  突起
３５  ロック機構
３６  ドリップフランジ
３７  第２の突起
３８  ベース面
４０  第１の表面
４０’  第２の表面
４２  第２の表面
４２  第３の表面
４２Ｏ  仮想の第２の表面
４４  先端
４６  頂面
４８  第１の保持リング
４９  コード化デバイス
５０  中心開口部
５１  センサ
５８  側壁
５９  中心軸線
６０  第１の凹部
６２  案内面
６３  間隙空間
６４  保持面
６５  案内面
６７  底面
７０  ハウジング
７１  中心開口部
７２  本体
７４  フランジ
７６  締結具用穴
７８  第２の保持リング
８０  内側側壁
８２  底部
８４  第１のロック要素
８６  第２のロック要素
８８  第２の凹部
８９  斜面
９０  第１の傾斜面
９１  凹部
９２  第２の傾斜面
９４  線形頂面
９６  ロックタブ
９６ａ  一体的なロックタブ
９８  ガイドピン
９８’  基端側ピン
１００  連結インターフェース
１０１  ガイドピンスロット
１０２  弾性部材
１０２’  弾性部材
１０４  解除部材
１０６  頂面
１０８  第３の保持リング
１１０  内側側壁
１１２  ロック要素
１１４  第３の凹部
１１６  傾斜面
１３０  継手
１３２  第１部分
１３４  第２部分
２３０  アダプタ
２３２  第１部分
２３４  第２部分
３００  リング
３２０  アダプタ
３４０  突出物
６１２  中心部
６１２’’  空孔
６１４  補強部材
６２０  点
６２２  点
【図１Ａ】
2019080947.tif 000003
【図１Ｂ】
2019080947.tif 000004
【図２Ａ】
2019080947.tif 000005
【図２Ｂ】
2019080947.tif 000006
【図２Ｃ】
2019080947.tif 000007
【図２Ｄ】
2019080947.tif 000008
【図３Ａ】
2019080947.tif 000009
【図３Ｂ】
2019080947.tif 000010
【図３Ｃ】
2019080947.tif 000011
【図３Ｄ】
2019080947.tif 000012
【図３Ｅ】
2019080947.tif 000013
【図３Ｆ】
2019080947.tif 000014
【図３Ｇ】
2019080947.tif 000015
【図３Ｈ】
2019080947.tif 000016
【図４Ａ】
2019080947.tif 000017
【図４Ｂ】
2019080947.tif 000018
【図４Ｃ】
2019080947.tif 000019
【図４Ｄ】
2019080947.tif 000020
【図４Ｅ】
2019080947.tif 000021
【図４Ｆ】
2019080947.tif 000022
【図４Ｇ】
2019080947.tif 000023
【図４Ｈ】
2019080947.tif 000024
【図４Ｉ】
2019080947.tif 000025
【図４Ｊ】
2019080947.tif 000026
【図４Ｋ】
2019080947.tif 000027
【図４Ｌ】
2019080947.tif 000028
【図４Ｍ】
2019080947.tif 000029
【図５Ａ−５Ｉ】
2019080947.tif 000030
【図５Ｊ−５Ｒ】
2019080947.tif 000031
【図５Ｓ１−Ｓ２】
2019080947.tif 000032
【図５Ｓ３】
2019080947.tif 000033
【図５Ｔ−５Ｚ】
2019080947.tif 000034
【図６Ａ】
2019080947.tif 000035
【図６Ｂ】
2019080947.tif 000036
【図７Ａ−７Ｂ】
2019080947.tif 000037
【図８Ａ】
2019080947.tif 000038
【図８Ｂ】
2019080947.tif 000039
【図８Ｃ】
2019080947.tif 000040
【図９Ａ】
2019080947.tif 000041
【図９Ｂ】
2019080947.tif 000042
【図１０Ａ−１０Ｈ】
2019080947.tif 000043
【外国語明細書】
2019080947000001.pdf